(57)【要約】      （修正有）【課題】１つまたは複数のアクセスポイントに関して種別および／または分類の情報を示すためのパイロット識別子のグルーピングを促進する。【解決手段】アクセスポイントは、アクセスポイントに関する種別または分類を示すグループから、パイロット識別子を選択するか、またはパイロット識別子が割り当てられ得る。したがって、識別子は、アクセスポイントが示すことができるように、マクロセルおよび／またはフェムトセルのグループまたは範囲にグループ化することができ、モバイルデバイスは、パイロット識別子が選択されまたは割り当てられた範囲に基づいて、そのアクセスポイントがマクロセルカバレッジを提供するのかフェムトセルカバレッジを提供するのかを効率的に判定することができる。また、パイロット識別子はアクセスポイントに関する制限付きアソシエーション情報を示すために利用することができる。【選択図】図６
2014014099.tif 000002
【特許請求の範囲】
【請求項１】
無線通信ネットワークにおいてセル再選択のためのセル情報を判定する方法であって、
アクセスポイントからブロードキャストされたパイロット信号を受信することと、
該パイロット信号に含まれたパイロット識別子を判定することと、
前記パイロット識別子が含まれる識別子範囲に少なくとも部分的に基づいて該アクセスポイントの種別を判定することとを具備する方法。
【請求項２】
前記パイロット識別子は、前記アクセスポイント種別がフェムトセルであると示す前記識別子範囲内に含まれる請求項１の方法。
【請求項３】
前記アクセスポイント種別がフェムトセルであると示す前記識別子範囲内に含まれる前記パイロット識別子に少なくとも部分的に基づいて、前記アクセスポイントから制限付きアソシエーション識別子を読出すことをさらに具備する請求項２の方法。
【請求項４】
前記制限付きアソシエーション識別子は前記フェムトセルは、シグナリング、データアクセス、登録、および／またはサービスの提供に関して制限されることを示す請求項３の方法。
【請求項５】
前記制限付きアソシエーション識別子が特定範囲内であることを確認することに少なくとも部分的に基づいて、前記アクセスポイントとの通信確立を要求することをさらに具備する請求項３の方法。
【請求項６】
前記アクセスポイント種別がフェムトセルであると示す前記識別子範囲内に含まれる前記パイロット識別子に少なくとも部分的に基づいて、前記アクセスポイントからセクタ識別子を読出すことをさらに具備する請求項２の方法。
【請求項７】
前記パイロット識別子が含まれる識別子範囲は、小規模なカバレッジアクセスポイントまたは大規模なカバレッジアクセスポイントに関する請求項１の方法。
【請求項８】
前記パイロット識別子が含まれる識別子範囲は、前記アクセスポイントの位置に関する請求項１の方法。
【請求項９】
前記パイロット識別子が含まれる識別子範囲は、前記アクセスポイントの送信電力に関する請求項１の方法。
【請求項１０】
前記パイロット識別子が含まれる識別子範囲は、前記アクセスポイントが通信のために利用する周波数帯域に関する請求項１の方法。
【請求項１１】
前記パイロット識別子が含まれる識別子範囲は、前記アクセスポイントが通信のために利用する送信周期性に関する請求項１の方法。
【請求項１２】
前記パイロット識別子が含まれる識別子範囲は、前記アクセスポイントが移動型であるか固定型であるかに関する請求項１の方法。
【請求項１３】
前記判定された種別に少なくとも部分的に基づいて、前記アクセスポイントとの通信確立を要求することをさらに具備する請求項１の方法。
【請求項１４】
アクセスポイントからブロードキャストされたパイロット信号を受信し、
前記アクセスポイントを一意に識別する前記パイロット信号からパイロット識別子を得て、
前記パイロット識別子を識別子の範囲に関連付けることに少なくとも部分的に基づいて、前記アクセスポイントの種別を検出するように構成された少なくとも１つのプロセッサと、
前記少なくとも１つのプロセッサに結合されたメモリと、を具備する無線通信装置。
【請求項１５】
無線ネットワークにおいてアクセスポイントに関する情報を判定することを促進する無線通信装置であって、
アクセスポイントからブロードキャストされたパイロット信号を受信するための手段と、
該パイロット信号に含まれたパイロット識別子を判定するための手段と、
前記パイロット識別子が含まれる識別子範囲に少なくとも部分的に基づいて該アクセスポイントの種別を判定するための手段とを具備する方法。
【請求項１６】
少なくとも１つのコンピュータに、アクセスポイントからブロードキャストされたパイロット信号を受信させるためのコードと、
前記少なくとも１つのコンピュータに、前記パイロット信号に含まれたパイロット識別子を判定させるためのコードと、
前記少なくとも１つのコンピュータに、前記パイロット識別子が含まれる識別子範囲に少なくとも部分的に基づいて該アクセスポイントの種別を判定させるためのコードと、を具備するコンピュータ可読媒体を具備するコンピュータプログラム製品。
【請求項１７】
複数のアクセスポイントからブロードキャストされた複数のパイロット信号を受信するセル再選択器と、
前記複数のパイロット信号の少なくとも１つに含まれ、前記複数のアクセスポイントの少なくとも１つを識別するパイロット識別子を得るパイロット識別子受信器と、
前記パイロット識別子に少なくとも部分的に基づいて、前記複数のアクセスポイントの種別の少なくとも１つを検出するアクセスポイント種別判定器と、を具備する装置。
【請求項１８】
アクセスポイント種別検出器は、前記複数のアクセスポイントの少なくとも１つの種別をフェムトセルであるとして判定し、前記パイロット識別子は、特定の範囲またはマクロセル内に存在し、前記パイロット識別子は異種の特定範囲に存在する請求項１７の装置。
【請求項１９】
前記種別がフェムトセルに対応する場合に、前記パイロット信号から制限付きアソシエーション識別子を読出す制限付きアソシエーション判定器をさらに具備する請求項１８の装置。
【請求項２０】
前記制限付きアソシエーション識別子は前記フェムトセルは、シグナリング、データアクセス、登録、および／またはサービスの提供に関して制限されることを示す請求項１９の装置。
【請求項２１】
前記セル再選択器は、前記制限付きアソシエーション識別子が特定範囲内に存在することに少なくとも部分的に基づいて、前記複数のアクセスポイントの少なくとも１つとの通信確立を要求する請求項１９の装置。
【請求項２２】
前記セル再選択器は、前記種別がフェムトセルに対応する場合に、前記パイロット信号からセクタ識別子を読出す請求項１８の装置。
【請求項２３】
前記アクセスポイント種別検出器は、前記複数のアクセスポイントの少なくとも１つの種別をフェムトセルであるとして判定し、前記パイロット識別子は、特定の範囲または大規模カバレージアクセスポイント内に存在し、前記パイロット識別子は異種の特定範囲に存在する請求項１７の装置。
【請求項２４】
前記アクセスポイント検出器は、前記パイロット識別子が含まれる範囲に少なくとも部分的に基づいて、前記複数のアクセスポイントの少なくとも１つの種別をフェムトセルであるとしてさらに判定する請求項１７の装置。
【請求項２５】
前記アクセスポイント検出器は、前記パイロット識別子が含まれる範囲に少なくとも部分的に基づいて、前記複数のアクセスポイントの少なくとも１つの送信電力をさらに判定する請求項１７の装置。
【請求項２６】
前記アクセスポイント検出器は、前記パイロット識別子が含まれる範囲に少なくとも部分的に基づいて、前記複数のアクセスポイントの少なくとも１つの送信周波数帯域をさらに判定する請求項１７の装置。
【請求項２７】
前記アクセスポイント検出器は、前記パイロット識別子が含まれる範囲に少なくとも部分的に基づいて、前記複数のアクセスポイントの少なくとも１つの送信周期性をさらに判定する請求項１７の装置。
【請求項２８】
前記アクセスポイント検出器は、前記パイロット識別子が含まれる範囲に少なくとも部分的に基づいて、前記アクセスポイントが移動型であるか固定型であるかを判定する請求項１７の装置。
【請求項２９】
前記セル再選択器は、前記決定された種別に少なくとも部分的に基づいて、前記複数のアクセスポイントの少なくとも１つとの通信確立を要求する請求項１７の装置。
【請求項３０】
無線通信ネットワークにおいてアクセスポイントのためのパイロット識別子を選択する方法であって、
無線通信ネットワークにおいて通信するアクセスポイントの種別を判定することと、
前記アクセスポイントの種別に関するパイロット識別子の範囲を判定することと、
前記アクセスポイントの識別のために、前記無線通信ネットワークへのパイロット信号による後の送信のために前記パイロット識別子の範囲からパイロット識別子を選択することと、を具備する方法。
【請求項３１】
前記パイロット識別子の範囲は、前記アクセスポイントの地理的な位置に少なくとも部分的に基づいて判定される請求項３０の方法。
【請求項３２】
前記パイロット識別子の範囲は、前記アクセスポイントに関連付けられたサービスプロバイダに少なくとも部分的に基づいて判定される請求項３０の方法。
【請求項３３】
前記パイロット識別子の範囲は、前記アクセスポイントに関連付けられた所有者および／または所有者の種別に少なくとも部分的に基づいて判定される請求項３０の方法。
【請求項３４】
前記パイロット識別子の範囲は、前記アクセスポイントの送信周波数帯域に少なくとも部分的に基づいて判定される請求項３０の方法。
【請求項３５】
前記パイロット識別子の範囲は、前記アクセスポイントの送信周期性に少なくとも部分的に基づいて判定される請求項３０の方法。
【請求項３６】
前記パイロット識別子の範囲は、前記アクセスポイントは、コア無線ネットワークへの接続に安全な帰路を利用するか不安定な帰路を利用するかに少なくとも部分的に基づいて判定される請求項３０の方法。
【請求項３７】
前記パイロット識別子の範囲は、前記アクセスポイントが移動型であるか固定型であるかに少なくとも部分的に基づいて判定される請求項３０の方法。
【請求項３８】
前記アクセスポイントの前記判定された種別はフェムトセルである請求項３０の方法。
【請求項３９】
前記種別がフェムトセルであると判定することに基づいて、前記パイロット信号内に制限付きアソシエーション識別子を示すことをさらに具備する請求項３８の方法。
【請求項４０】
無線通信ネットワークにおいて通信するアクセスポイントの種別を判定し、
前記アクセスポイントの種別に関するパイロット識別子の範囲を判定し、
前記アクセスポイントの識別のために、前記無線通信ネットワークへのパイロット信号による後の送信のために前記パイロット識別子の範囲からパイロット識別子を選択するように構成された少なくとも１つのプロセッサと、
前記少なくとも１つのプロセッサに結合されたメモリと、を具備する無線通信装置。
【請求項４１】
無線通信装置においてアクセスポイント情報を指定することを促進する無線通信装置であって、
無線通信ネットワークにおいて通信するアクセスポイントの種別を判定するための手段と、
前記アクセスポイントの種別に関するパイロット識別子の範囲を判定するための手段と、
前記無線通信ネットワークへのパイロット信号による後の送信のために前記パイロット識別子の範囲からパイロット識別子を選択するための手段と、を具備する装置。
【請求項４２】
少なくとも１つのコンピュータに、無線通信ネットワークにおいて通信するアクセスポイントの種別を判定させるためのコードと、
前記少なくとも１つのコンピュータに、前記アクセスポイントの種別に関するパイロット識別子の範囲を判定させるためのコードと、
前記少なくとも１つのコンピュータに、前記アクセスポイントの識別のために前記無線通信ネットワークへのパイロット信号による後の送信のために前記パイロット識別子の範囲からパイロット識別子を選択させるためのコードと、を具備するコンピュータ可読媒体を具備するコンピュータプログラム製品。
【請求項４３】
無線通信ネットワークにおいて通信するアクセスポイントの種別を判定するアクセスポイント種別指定器と、
前記アクセスポイントの前記種別に関連するパイロット識別子の範囲を判定し、前記無線通信ネットワークへのパイロット信号による後の送信のために前記パイロット識別子範囲からパイロット識別子を選択するパイロット識別子選択器と、を具備する装置。
【請求項４４】
前記パイロット識別子選択器は、前記パイロット識別子の範囲を、前記アクセスポイントの地理的な位置に少なくとも部分的に基づいて判定する請求項４３の装置。
【請求項４５】
前記パイロット識別子選択器は、前記パイロット識別子の範囲を、前記アクセスポイントに関連付けられたサービスプロバイダに少なくとも部分的に基づいて判定する請求項４３の装置。
【請求項４６】
前記パイロット識別子選択器は、前記パイロット識別子の範囲を、前記アクセスポイントに関連付けられた所有者および／または所有者の種別に少なくとも部分的に基づいて判定する請求項４３の装置。
【請求項４７】
前記パイロット識別子選択器は、前記パイロット識別子の範囲を、前記アクセスポイントの送信周波数帯域に少なくとも部分的に基づいて判定する請求項４３の装置。
【請求項４８】
前記パイロット識別子選択器は、前記パイロット識別子の範囲を、前記アクセスポイントの送信周期性に少なくとも部分的に基づいて判定する請求項４３の装置。
【請求項４９】
前記アクセスポイント指定器は、前記アクセスポイントの前記判定された種別をフェムトセルであるとして判定する請求項４３の装置。
【請求項５０】
前記種別がフェムトセルであるとの判定に基づいて、前記パイロット信号内に制限付きアソシエーション識別子を示す制限付きアソシエーション指定器をさらに具備する請求項４９の装置。
【発明の詳細な説明】
【関連出願】
【０００１】
本出願は、「ＡＰＰＡＲＡＴＵＳ  ＡＮＤ  ＭＥＴＨＯＤ  ＴＯ  ＦＡＣＩＬＩＴＡＴＥ  ＩＤＬＥ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」と題して２００７年１１月１６日に提出された米国暫定特許出願第６０／９８８，６３１号、「ＡＰＰＡＲＡＴＵＳ  ＡＮＤ  ＭＥＴＨＯＤ  ＴＯ  ＦＡＣＩＬＩＴＡＴＥ  ＣＯＮＮＥＣＴＥＤ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」と題して２００７年１１月１６日に提出された米国暫定特許出願第６０／９８８，６４１号、「ＡＰＰＡＲＡＴＵＳ  ＡＮＤ  ＭＥＴＨＯＤ  ＴＯ  ＦＡＣＩＬＩＴＡＴＥ  ＭＡＮＡＧＥＭＥＮＴ  ＡＮＤ  ＡＤＶＥＲＴＩＳＥＭＥＮＴ  ＯＦ  ＮＥＩＧＨＢＯＲ  ＬＩＳＴＳ  ＩＮ  ＳＹＳＴＥＭＳ  ＷＩＴＨ  ＲＥＳＴＲＩＣＴＥＤ  ＡＳＳＯＣＩＡＴＩＯＮ」と題して２００７年１１月１６日に提出された米国暫定特許出願第６０／９８８，６４９号、および「ＳＹＳＴＥＭＳ  ＡＮＤ  ＭＥＴＨＯＤＳ  ＦＯＲ  ＳＩＧＮＡＬＩＮＧ  ＲＥＳＴＲＩＣＴＥＤ  ＡＳＳＯＣＩＡＴＩＯＮ」と題して２００８年１月３１日に提出された米国暫定特許出願第６１／０２５，０９３号の優先権を主張する。上記出願の全体は参照することにより本明細書に組み込まれる。
【０００２】
また、本出願は、同時係属の米国特許出願すなわち、代理人整理番号０７２３２４Ｕ１のＧａｖｉｎ  Ｈｏｒｎらによる「ＵＴＩＬＩＺＩＮＧ  ＲＥＳＴＲＩＣＴＩＯＮ  ＣＯＤＥＳ  ＩＮ  ＷＩＲＥＬＥＳＳ  ＡＣＣＥＳＳ  ＰＯＩＮＴ  ＣＯＮＮＥＣＴＩＯＮ  ＡＴＴＥＭＰＴＳ」、代理人整理番号０７２３２４Ｕ２のＧａｖｉｎ  Ｈｏｒｎらによる「ＦＡＶＯＲＩＮＧ  ＡＣＣＥＳＳ  ＰＯＩＮＴＳ  ＩＮ  ＷＩＲＥＬＥＳＳ  ＣＯＭＭＵＮＩＣＡＴＩＯＮＳ」、代理人整理番号０７２３２４Ｕ３のＧａｖｉｎ  Ｈｏｒｎらによる「ＵＴＩＬＩＺＩＮＧ  ＢＲＯＡＤＣＡＳＴ  ＳＩＧＮＡＬＳ  ＴＯ  ＣＯＮＶＥＹ  ＲＥＳＴＲＩＣＴＥＤ  ＡＳＳＯＣＩＡＴＩＯＮ  ＩＮＦＯＲＭＡＴＩＯＮ」、および代理人整理番号０７２３２４Ｕ５のＧａｖｉｎ  Ｈｏｒｎらによる「ＳＥＣＴＯＲ  ＩＤＥＮＴＩＦＩＣＡＴＩＯＮ  ＵＳＩＮＧ  ＳＥＣＴＯＲ  ＰＡＲＡＭＥＴＥＲＳ  ＳＩＧＮＡＴＵＲＥＳ」に関連しており、これら全ては、これにより同時に提出され、これに関して譲受人に譲渡され、参照することにより本明細書に明示的に組み込まれる。
【技術分野】
【０００３】
以下の説明は、一般に無線通信に関し、特に、アクセスポイント種別を識別するためのパイロット識別子の利用に関する。
【背景技術】
【０００４】
無線通信システムは、例えば音声、データ等のような各種通信コンテンツを提供するために広く展開している。典型的な無線通信システムは、利用可能システムリソース（例えば帯域幅、送信電力．．．）の共有により複数ユーザとの通信をサポート可能な多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システムおよび直交周波数分割多元接続（ＯＦＤＭＡ）システムなどを含み得る。さらに、これらシステムは第３世代パートナーシッププロジェクト（３ＧＰＰ）、３ＧＰＰロングタームエボリューション（ＬＴＥ）、ウルトラモバイルブロードバンド（ＵＭＢ）等のような仕様に準拠し得る。
【０００５】
一般に、無線多元接続通信システムは、複数のモバイルデバイスの通信を同時にサポートすることができる。各モバイルデバイスは、順方向リンクおよび逆方向リンク上の伝送によって１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局の間の通信は、ｓｉｎｇｌｅ−ｉｎｐｕｔ  ｓｉｎｇｌｅ−ｏｕｔｐｕｔ（ＳＩＳＯ）システム、ｍｕｌｔｉｐｌｅ−ｉｎｐｕｔ  ｓｉｎｇｌｅ−ｏｕｔｐｕｔ（ＭＩＳＯ）システム、ｍｕｌｔｉｐｌｅ−ｉｎｐｕｔ  ｍｕｌｔｉｐｌｅ−ｏｕｔｐｕｔ（ＭＩＭＯ）システムなどを通じて確立されてもよい。また、ピアツーピア無線ネットワーク構成においてモバイルデバイスは他のモバイルデバイスと（および／または基地局が他の基地局と）通信することができる。
【０００６】
ＭＩＭＯシステムは、普通、データ伝送に複数（ＮＴ）の送信アンテナと複数（ＮＲ）の受信アンテナを用いる。これらアンテナは基地局とモバイルデバイスの両方に関連することができ、ある例において無線ネットワーク上のデバイス間の双方向通信を可能にする。モバイルデバイスがサービスエリアの至るところに移動しているとき、通信のためにデバイスにより利用されるセルを、１つまたは複数のアクセスポイント間（例えばマクロセル、フェムトセルなど）で再選択することができる。例えばこれは、利用可能なアクセスポイントまたはそのサービングセルが、現在のアクセスポイント以上により良い信号またはサービスを提示できる場合に発生し得る。モバイルデバイスは、信号品質、サービスレベルなどのような１つまたは複数のセルに関係するパラメータを測定することができ、該パラメータの１以上に基づく望ましさに従ってセルをランク付けすることができる。ある例において、利用可能なアクセスポイントは、課金、カバレッジ、サービスオプションなどを提供する特定のモバイルデバイスのホームアクセスポイントに関連づけることができる。したがって、通信に利用されるセルは、特定範囲内のより望ましいアクセスポイントに再選択することができる。
【発明の概要】
【０００７】
下記は１つまたは複数の実施形態の基本的了解事項を提供するために単純化された、かかる実施形態の要約を示す。この要約は予期される全ての実施形態の広範囲な概観ではなく、全ての実施形態の重要または重大な構成要素を同定することや、いずれかまたは全ての実施形態の範囲を線引きすることは意図されていない。その唯一の目的は、後に示されるより詳細な説明の前ぶれとして、１つまたは複数の実施形態のいくつかの概念を簡素な形で示すことにある。
【０００８】
１つまたは複数の実施形態およびそれらの対応する開示に従い、アクセスポイント種別および／または関連するグループを、アクセスポイントにより送信されたパイロット信号を用いて識別することの促進に関連して、種々の態様を説明する。例えば、パイロット信号は、無線ネットワークにおいてアクセスポイントを識別するために利用されるパイロット識別子を含むことができる。パイロット識別子の空間は、アクセスポイントに関する１つまたは複数の種別または分類を示すために分割することができ、アクセスポイントは、種別および／または分類を示すために適切なグループからパイロット識別子を選択することができる。ある例において、マクロセルはフェムトセルとは異なるグループまたは範囲からパイロット識別子を選択することができる。また制限付きアソシエーションフェムトセルは、制限付きアソシエーションを実装しないものとは異なるグループまたは範囲からパイロット識別子を選択することができる。モバイルデバイスは、該パイロット識別子に少なくとも部分的に基づいて該種別を効率的に識別することができる。パイロット識別子の空間は、電力、位置、利用周波数、送信周期性、ネットワークプラン、サービスプロバイダ、アクセスポイントの所有者、および／またはアクセスポイントの分類に関する実質的に任意のパラメータに基づいて分割できることが理解されるべきである。
【０００９】
関連する態様によれば、無線通信ネットワークにおいてセル再選択のためのセル情報を判定する方法が提供される。この方法は、アクセスポイントからブロードキャストされたパイロット信号を受信することと、該パイロット信号に含まれたパイロット識別子を判定することとを含み得る。この方法は、前記パイロット識別子が含まれる識別子範囲に少なくとも部分的に基づいて該アクセスポイントの種別を判定することをさらに含み得る。
【００１０】
別の態様は無線通信装置に関する。この無線通信装置は、アクセスポイントからブロードキャストされたパイロット信号を受信し、前記アクセスポイントを一意に識別する前記パイロット信号からパイロット識別子を得るように構成された少なくとも１つのプロセッサを含み得る。該プロセッサは、前記パイロット識別子を識別子の範囲に関連付けることに少なくとも部分的に基づいて、前記アクセスポイントの種別を検出するようさらに構成される。またこの無線通信装置は、前記少なくとも１つのプロセッサに結合されたメモリを具備する。
【００１１】
さらなる別の態様は、無線ネットワークにおいてアクセスポイントに関する情報を判定することを促進する無線通信装置に関する。この無線通信装置は、アクセスポイントからブロードキャストされたパイロット信号を受信するための手段と、該パイロット信号に含まれたパイロット識別子を判定するための手段とを具備し得る。該無線通信装置は、前記パイロット識別子が含まれる識別子範囲に少なくとも部分的に基づいて該アクセスポイントの種別を判定するための手段をさらに含み得る。
【００１２】
さらに別の態様は、少なくとも１つのコンピュータに、アクセスポイントからブロードキャストされたパイロット信号を受信させるためのコードを含むコンピュータ可読媒体を含むコンピュータ可読媒体を含み得るコンピュータプログラム製品に関する。また、このコンピュータ可読媒体は、前記少なくとも１つのコンピュータに、該パイロット信号に含まれたパイロット識別子を判定させるためのコードを具備し得る。また、このコンピュータ可読媒体は、前記少なくとも１つのコンピュータに、前記パイロット識別子が含まれる識別子範囲に少なくとも部分的に基づいて該アクセスポイントの種別を判定させるためのコードを具備し得る。
【００１３】
さらに、付加的な態様は、装置に関する。この装置は、複数のアクセスポイントからブロードキャストされた複数のパイロット信号を受信するセル再選択器と、前記複数のパイロット信号の少なくとも１つに含まれ、前記複数のアクセスポイントの少なくとも１つを識別するパイロット識別子を得るパイロット識別子受信器とを含み得る。この装置は、前記パイロット識別子に少なくとも部分的に基づいて、前記複数のアクセスポイントの種別の少なくとも１つを検出するアクセスポイント種別判定器をさらに含み得る。
【００１４】
付加的な態様によれば、無線通信ネットワークにおいてアクセスポイントのためのパイロット識別子を選択する方法が提供される。この方法は、無線通信ネットワークにおいて通信するアクセスポイントの種別を判定することと、前記アクセスポイントの種別に関するパイロット識別子の範囲を判定することとを含む。この方法は、前記アクセスポイントの識別のために、前記無線通信ネットワークへのパイロット信号による後の送信のために前記パイロット識別子の範囲からパイロット識別子を選択することをさらに含み得る。
【００１５】
別の態様は無線通信装置に関する。この無線通信装置は、無線通信ネットワークにおいて通信するアクセスポイントの種別を判定し、前記アクセスポイントの種別に関するパイロット識別子の範囲を判定するように構成された少なくとも１つのプロセッサを含み得る。このプロセッサは、前記アクセスポイントの識別のために、前記無線通信ネットワークへのパイロット信号による後の送信のために前記パイロット識別子の範囲からパイロット識別子を選択するようさらに構成される。また、この無線通信装置は、前記少なくとも１つのプロセッサに結合されたメモリを具備する。
【００１６】
さらなる別の態様は、無線通信装置においてアクセスポイント情報を指定することを促進する無線通信装置に関する。この無線通信装置は、無線通信ネットワークにおいて通信するアクセスポイントの種別を判定するための手段と、前記アクセスポイントの種別に関するパイロット識別子の範囲を判定するための手段と、を具備し得る。この無線通信装置は、前記無線通信ネットワークへのパイロット信号による後の送信のために前記パイロット識別子の範囲からパイロット識別子を選択するための手段をさらに含み得る。
【００１７】
さらに別の態様は、少なくとも１つのコンピュータに、無線通信ネットワークにおいて通信するアクセスポイントの種別を判定させ、無線通信ネットワークにおいて通信するアクセスポイントの種別を判定させるためのコードを含むコンピュータ可読媒体を含み得るコンピュータプログラム製品に関する。また、このコンピュータ可読媒体は、前記少なくとも１つのコンピュータに、前記アクセスポイントの種別に関するパイロット識別子の範囲を判定させるためのコードを具備し得る。また、このコンピュータ可読媒体は、前記少なくとも１つのコンピュータに、前記アクセスポイントの識別のために、前記無線通信ネットワークへのパイロット信号による後の送信のために前記パイロット識別子の範囲からパイロット識別子を選択させるためのコードを具備し得る。
【００１８】
さらに、付加的な態様は、装置に関する。この装置は、無線通信ネットワークにおいて通信するアクセスポイントの種別を判定するアクセスポイント種別指定器を含み得る。この装置は、前記アクセスポイントの前記種別に関するパイロット識別子の範囲を判定し、無線通信ネットワークへのパイロット信号による後の送信のために前記パイロット識別子範囲からパイロット識別子を選択するパイロット識別子選択器をさらに含み得る。
【００１９】
上述の関連する目的を達成するために、１つまたは複数の実施形態は、以下で十分に記載され、特許請求の範囲において特に指摘された特徴を具備する。以下の明細書および添付の図面は、１つまたは複数の実施形態の例示の態様を詳細に説明している。しかしながら、これらの態様は、種々の実施形態の原理を採用できる種々の方法のわずか数例を示すものであって、開示の実施形態は、そのような態様およびその等価物をすべて含むことが意図される。
【図面の簡単な説明】
【００２０】
【図１】図１は、ここに述べられた種々の態様に従う無線多元接続通信システムを示す図である。
【図２】図２は、セル再選択を促進する無線通信ネットワークの図である。
【図３】図３は、無線通信環境内での運用のための通信装置例の図である。
【図４】図４は、アクセスポイント種別および／または分類のパイロット識別子を用いた判定を達成する無線通信システム例の図である。
【図５】図５は、無線ネットワークにおけるセル再選択の実行を促進する方法例の図である。
【図６】図６は、関連するパイロット識別子に基づいたアクセスポイントの種別判定を促進する方法例の図である。
【図７】図７は、選択されたパイロット識別子の利用によるアクセスポイント種別の特定を促進する方法例の図である。
【図８】図８は、受信したパイロット識別子の利用によるアクセスポイント種別の判定を促進するモバイルデバイス例の図である。
【図９】図９は、アクセスポイントの種別を示すパイロット識別子を選択するシステム例の図である。
【図１０】図１０は、本明細書で説明された種々のシステムおよび方法と共に用いることができる無線ネットワーク環境例の図である。
【図１１】図１１は、判定されたパイロット識別子に基づいてアクセスポイント種別を判定するシステム例の図である。
【図１２】図１２は、アクセスポイントの種別を示すためのパイロット識別子を選択するシステム例の図である。
【発明を実施するための形態】
【００２１】
種々の実施形態を図面を参照して説明する。ここでは、全体にわたって構成要素等を参照するために参照数字等を用いる。以下の明細書には、１つまたは複数の実施形態の一通りの理解が得られるように、説明を目的として幾多の具体的詳細が記載される。しかしながら、これら具体的詳細が無くとも、かかる実施形態を実施できることは明らかであろう。その他の例において、良く知られた構造および装置については、１つまたは複数の実施形態の説明を容易にするために、ブロック図の形式で示す。
【００２２】
本願明細書で用いるような「コンポーネント」、「モジュール」、「システム」などの用語は、コンピュータ関連の実体、すなわちハードウェア、ファームウェア、ハードウェアとソフトウェアの組合せ、ソフトウェアまたは実行中のソフトウェアのいずれかを指すことが意図される。例えば、コンポーネントはプロセッサ上のプロセス、プロセッサ、オブジェクト、実行ファイル、実行スレッド、プログラム、および／またはコンピュータとすることができるが、これらに限定されるものではない。実例として、コンピューティング装置上で実行するアプリケーション、およびコンピューティング装置は、ともにコンポーネントとすることができる。１つまたは複数のコンポーネントがプロセスおよび／または実行スレッド内に存在することができ、あるコンポーネントを１つのコンピュータに配置し、および／または２台以上のコンピュータに分散配置してもよい。さらに、これらのコンポーネントは、諸データ構造を格納する種々のコンピュータ読取り可能な媒体から実行してもよい。該コンポーネントは、ローカルプロセスおよび／またはリモートプロセスとして、例えば１つまたは複数のデータパケット（例えば、ローカルシステム、分散型システムにおける別のコンポーネントと相互作用するコンポーネントからのデータ、インターネットのようなネットワークを経由する信号を手段として他システムと相互作用するコンポーネントからのデータ）を有する信号に従って通信を行ってもよい。
【００２３】
更にここでは、モバイル装置に関連して種々の実施形態を説明する。モバイルデバイスは、システム、加入者ユニット、加入者局、移動局、モバイル、リモート局、リモート端末、アクセス端末、ユーザ端末、端末、無線通信デバイス、ユーザエージェント、ユーザデバイス、またはユーザ機器（ＵＥ）とも呼ばれる。モバイルデバイスは、セルラー電話機、コードレス電話機、セッション設定プロトコル（ＳＩＰ）電話機、ワイヤレスローカルループ（ＷＬＬ）局、携帯情報端末（ＰＤＡ）、無線接続能力を持つハンドヘルドデバイス、コンピューティングデバイス、または無線モデムに接続された他の処理デバイスであってもよい。更に、基地局に関連して種々の実施形態を説明する。基地局は、モバイルデバイスとの通信に利用することができ、アクセスポイント、ＮｏｄｅＢ、エボルブドＮｏｄｅＢ（ｅＮｏｄｅＢまたはｅＮＢ）、ベーストランシーバ基地局（ＢＴＳ）または他の何らかの用語で称することができる。
【００２４】
さらにここで説明された種々の態様または特徴は、方法、装置、または標準プログラミングおよび／またはエンジニアリング技術を用いて製品として、実装してもよい。ここで用いられるような用語「製造品（ａｒｔｉｃｌｅ  ｏｆ  ｍａｎｕｆａｃｔｕｒｅ）」とは、任意のコンピュータ可読なデバイス、キャリア、または媒体からアクセス可能なコンピュータプログラムを包含することが意図される。例えば、コンピュータ読取り可能な媒体は、磁気記憶装置（例えばハードディスク、フロッピー（登録商標）ディスク、磁気ストリップなど）、光ディスク（例えば、コンパクトディスク（ＣＤ）、ディジタルバーサタイルディスク（ＤＶＤ）など）、スマートカードおよびフラッシュメモリデバイス（例えばＥＰＲＯＭ、カード、スティック、キードライブなど）を含んでもよいが、これらには限定されない。さらに、本明細書で説明された種々の記憶媒体は、情報を記憶するための、１つまたは複数のデバイスおよび／または他の機械可読媒体を意味し得る。用語「機械可読媒体」は、命令（群）および／またはデータを記憶し、収容し、かつ／または運ぶ無線チャネルおよび種々の他の媒体を含み得るが、これらに限定されない。
【００２５】
本明細書で説明される技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数領域多重化（ＳＣ−ＦＤＭＡ）および他のシステムのような、種々の無線通信システムに用いられてもよい。「システム」、「ネットワーク」という用語は、しばしば区別なく用いられる。ＣＤＭＡシステムは、ユニバーサル地上無線アクセス（ＵＴＲＡ）、ｃｄｍａ２０００などのような無線技術を実装してもよい。ＵＴＲＡは広帯域ＣＤＭＡ（Ｗ−ＣＤＭＡ）および他のＣＤＭＡの変種を含んでいる。ｃｄｍａ２０００はＩＳ−２０００、ＩＳ−９５およびＩＳ−８５６標準をカバーする。ＴＤＭＡシステムは、グローバル移動体通信システム（ＧＳＭ（登録商標））のような無線技術を実装してもよい。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭなどのような無線技術を実装してもよい。ＵＴＲＡおよびＥ−ＵＴＲＡは地上波無線アクセスネットワーク（ＵＭＴＳ）の一部である。３ＧＰＰロングタームエボリューション（ＬＴＥ）は、Ｅ−ＵＴＲＡを用いるＵＭＴＳの来るべきリリースであり、アップリンクにＳＣ−ＦＤＭＡを用い、ダウンリンクにＯＦＤＭＡを用いる。ＵＴＲＡ、Ｅ−ＵＴＲＡ、ＵＭＴＳ、ＬＴＥおよびＧＳＭについては「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文献に記載されている。ｃｄｍａ２０００およびＵＭＢについては「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文献に記載されている。
【００２６】
今、図１を参照すると、本明細書で示される種々の実施形態に従う無線通信システム１００が示される。システム１００は、複数のアンテナグループを含み得る基地局１０２を具備する。例えば、一のアンテナグループはアンテナ１０４および１０６を含むことができ、別のグループがアンテナ１０８および１１０を具備してもよく、さらに別のグループがアンテナ１１２および１１４を含んでもよい。各アンテナグループについて２本のアンテナが示されているが、各グループで多数のまたは少数のアンテナを利用してもよい。基地局１０２は、さらに送信機チェーンと受信機チェーンを含むことができ、その各々は信号の送信および受信に関連する複数のコンポーネント（例えばプロセッサ、変調器、多重装置、復調器、逆多重装置、アンテナなど）を具備してもよいことを当業者なら理解するであろう。
【００２７】
基地局１０２は、モバイルデバイス１１６およびモバイルデバイス１２６のような１つまたは複数のモバイルデバイスと通信することができるが、基地局１０２はモバイルデバイス１１６および１２６と同様に実質的に任意の数のモバイルデバイスと通信し得ることが理解されるべきである。モバイルデバイス１１６および１２６は、例えば、携帯電話機、スマートフォン、ラップトップ、携帯型の通信デバイス、携帯型のコンピューティングデバイス、サテライトラジオ、全地球測位システム、ＰＤＡ、および／または無線通信システム１００上で通信するための任意の他の適合するデバイスであってもよい。図示のように、モバイルデバイス１１６は、アンテナ１１２および１１４と通信する。アンテナ１１２および１１４は順方向リンク１１８によりモバイルデバイス１１６に情報を送信し、逆方向リンク１２０によりモバイルデバイス１１６から情報を受信する。周波数分割デュプレックス（ＦＤＤ）システムにおいて、順方向リンク１１８は、例えば逆方向リンク１２０によって用いられるものとは異なる周波数帯を利用することができる。さらに、時分割デュプレックス（ＴＤＤ）システムでは、順方向リンク１１８および逆方向リンク１２０は共通の周波数を利用することができる。
【００２８】
各アンテナグループおよび／またはそれらが通信するように指示されたエリアは、基地局１０２のセクタまたはセルと称することができる。例えば、アンテナグループは、基地局１０２によってカバーされたエリアのセクタにおいてモバイルデバイスと通信することが意図される。順方向リンク１１８上の通信において、基地局１０２の送信アンテナは、モバイルデバイス１１６の順方向リンク１１８の信号対雑音比を向上するためにビームフォーミングを利用することができる。また、関連するカバレッジに無作為に散在したモバイルデバイス１１６への送信に基地局１０２がビームフォーミングを利用する場合、すべてのモバイルデバイスに単一アンテナを通して送信する基地局の場合と比較して、隣接セルにおけるモバイルデバイスが被る干渉をより小さくすることができる。さらに、モバイルデバイス１１６および１２６は、ピアツーピアまたはアドホックの技術を用いて、互いに直接通信することができる。
【００２９】
また基地局１０２は、無線サービスアクセスネットワーク（例えば３Ｇネットワーク）を含む１つまたは複数のネットワークであり得るネットワーク１２２と、帰路リンク接続によって通信することができる。ネットワーク１２２は、モバイルデバイス１１６および１２６と関係するアクセスパラメータに関する情報と、該デバイス１１６および１２６にサービスを提供する無線アクセスネットワークの他のパラメータを記憶することができる。更に、フェムトセル１２４は、（上述した順方向リンク１１８および逆方向リンク１２０と同様に）順方向リンク１２８および逆方向リンク１３０によるモバイルデバイス１２６との通信を促進するために提供することができる。小規模ではあるが基地局１０２に酷似するフェムトセル１２４は、１つまたは複数のモバイルデバイス１２６に対してアクセスを提供することができる。ある例において、フェムトセル１２４は、住宅、ビジネス、および／または他の近距離環境（例えばテーマパーク、競技場、団地など）内に構成することができる。フェムトセル１２４は、帰路リンク接続を利用するネットワーク１２２に接続することができ、ある例ではそれは広帯域インターネット接続（Ｔ１／Ｔ３、デジタル加入者線（ＤＳＬ）、ケーブルなど）であってもよい。同様に、ネットワーク１２２は、モバイルデバイス１２６についてアクセス情報を提供することができる。さらに、基地局１０２および／またはフェムトセルは、固定型のアクセスポイントまたは（例えば列車、バス、飛行機、自動車などのような車両上の）移動型のアクセスポイントであってもよい。
【００３０】
一例によれば、モバイルデバイス１１６および１２６は、移動中に異なる基地局および／またはフェムトセル間のセル再選択を行いながらサービスエリア上を移動することができる。これに関連し、モバイルデバイス１１６および１２６は、該モバイルデバイス１１６および１２６のユーザーに対するシームレスな、連続的無線サービスを達成することができる。ある例において（不図示）、モバイルデバイス１２６は、モバイルデバイス１１６と同様に基地局１０２と通信していたところ、フェムトセル１２４の規定範囲に移動したものである。これに関連し、モバイルデバイス１２６は、より望ましい無線サービスアクセスを受けるために、フェムトセル１２４と関係する１つまたは複数のセルを再選択することができる。ある例において、フェムトセル１２４は、より望ましい課金および／または他のアクセスオプションを提示する、モバイルデバイス１２６のホームアクセスポイントであってもよい。別の例では、フェムトセル１２４は、ビジネスまたは現場それぞれに適合したビジネスまたは現場提供オプションまたはデータに関係してもよい。したがって、モバイルデバイス１２６は、アイドルまたは接続モードにおいて上記のような適合するオプションを受信するために、フェムトセル１２４と関係する１つまたは複数のセルを再選択することができる。また、モバイルデバイス１２６が基地局１０２に近づくと、該モバイルデバイス１２６は、関係するセルを（例えば、フェムトセル１２４上の干渉を緩和するため、多くの最適な信号を受信するため、スループット向上のためなどの）様々な理由によって再選択することができる。
【００３１】
サービスエリア上を移動する際に、モバイルデバイス１１６および／または１２６は、セル再選択がモバイルデバイス１１６および／または１２６にとって、いつ有益かを判定するために、（基地局１０２のような）利用可能な基地局、（フェムトセル１２４のような）フェムトセル、および／または他のアクセスポイントを絶えず測定することができる。この測定には、例えば、評価する信号品質、スループット、利用可能なサービス、当該アクセスポイントと関係する無線アクセスプロバイダ、および／または同様なものが含まれ得る。１以上の測定に基づいて、モバイルデバイス１１６および／または１２６は、再選択のためにアクセスポイントをランク付けることができる。ランキングを判定すると、モバイルデバイス１１６および／または１２６は、最上位ランクのアクセスポイントへのセル再選択を試みることができる。また、モバイルデバイス１１６および／または１２６は、アクセス可能なアクセスポイントのリストおよび／またはアクセス可能なアクセスポイントのグループのリストを維持することができる。アクセス可能なアクセスポイントは、例えば、モバイルデバイス１１６および／または１２６がアクセスすることを認められた制限付きアソシエーションアクセスポイントに関係し得、および／または他のアクセスポイントよりもどのアクセスが優先されるか、また、そうでなければ好ましいかに関係し得る。
【００３２】
ある例において、フェムトセル１２４は上記の制限付きアソシエーションアクセスポイントになり得る。例えば、制限付きアソシエーションアクセスポイントは、各アクセスポイントが特定のモバイルデバイス（例えばモバイルデバイス１１６および／または１２６）には特定のサービスを提供するものの他のモバイルデバイスまたはアクセス端末（不図示）には必ずしもそうではない、といったいくつかの態様で制限され得る。例えば、フェムトセル１２４は、他のモバイルデバイスまたはアクセス端末に対して登録、シグナリング、音声通話、データアクセスおよび／または追加サービスを提供しないように制限することができる。制限付きアソシエーションアクセスポイントは、アドホックの態様で配置することができる。例えば、ある住宅所有者は、ホーム用に制限されたアクセスポイントをインストールし構成することができる。
【００３３】
ある例において、モバイルデバイス１１６および／または１２６は、基地局１０２、フェムトセル１２４および／または他のアクセスポイントのような１つまたは複数の利用可能なアクセスポイントを、該アクセスポイントと関係するブロードキャスト信号内の１つまたは複数のインジケータに少なくとも部分的に基づいて識別することができる。１つまたは複数のインジケータを受信すると、モバイルデバイス１１６および／または１２６は、セル再選択を試みる前に、アクセスポイントがリストに載っていること、または関連するグループ識別子がリストに載っていることを保証することができる。別の例では、モバイルデバイス１１６および／または１２６は、ランキングのためのパラメータを測定する前に、リストとのアクセスポイントのアソシエーションを確認することができる。アクセス可能なアクセスポイントは、例えば、モバイルデバイス１１６および／または１２６がアクセスすることを認められた制限付きアソシエーションアクセスポイントに関係し得、および／または他のアクセスポイントよりもどのアクセスが優先されるか、また、そうでなければ好ましいかに関係し得る。
【００３４】
ある例において、フェムトセル１２４は上記の制限付きアソシエーションアクセスポイントになり得る。例えば、制限付きアソシエーションアクセスポイントは、各アクセスポイントが特定のモバイルデバイス（例えばモバイルデバイス１１６および／または１２６）には特定のサービスを提供するものの他のモバイルデバイスまたはアクセス端末（不図示）には必ずしもそうではない、といったいくつかの態様で制限され得る。例えば、フェムトセル１２４は、他のモバイルデバイスまたはアクセス端末に対して登録、シグナリング、音声通話、データアクセスおよび／または追加サービスを提供しないように制限することができる。制限付きアソシエーションアクセスポイントは、アドホックの態様で配置することができる。例えば、ある住宅所有者は、ホーム用に制限されたアクセスポイントをインストールし構成することができる。
【００３５】
基地局１０２および／またはフェムトセル１２４は、それら自身を識別するためにパイロット信号においてパイロット識別子を送信することができる。一例によれば、基地局１０２および／またはフェムトセル１２４は、１つまたは複数の関連する分類または種別に関連するパイロット識別子を選択することができまたは割り当てられ得る。したがって、ある例において、基地局１０２には、フェムトセル１２４から離れている範囲またはグループからのパイロット識別子が割り当てられ得る。これに関連し、モバイルデバイス１１６および／または１２６は、関連する種別または分類（例えばマクロセルまたはフェムトセル）をパイロット識別子の範囲またはグループに基づいて判定することができる。この情報を用いることにより、モバイルデバイス１１６および／または１２６は、アクセスポイントとの接続を試みる前にさらなる情報を得るべきかどうかを判定することができる。したがって、モバイルデバイス１１６が基地局１０２の範囲にまず移動すると、さらなる問合わせ無しに、パイロット識別子に基づいてマクロセルであることを判定することにより、該モバイルデバイス１１６は基地局１０２への接続を試みることができる。
【００３６】
別の例によれば、モバイルデバイス１２６がフェムトセル１２４の範囲にまず移動すると、それがフェムトセルであることをパイロット識別子から判定することができ、さらに、該フェムトセル１２４および／またはフェムトセル１２４と関係する１つまたは複数の受信信号をセクタ識別子、制限付きアソシエーション識別子、グループ識別子、または他の識別子について評価することができる。上記を受信すると、モバイルデバイス１２６は、例えばフェムトセル１２４との接続確立を試みる前に、フェムトセル１２４、または関連する制限付きアソシエーション若しくはグループ識別子が、アクセス可能なアクセスポイントの維持リストに存在することを保証することができる。別の例では、制限付きアソシエーションを実施するかどうか、どの程度の制限付きアソシエーションを実施するか等に基づいて、パイロット識別子が選択され、またはフェムトセル１２４に割り当てられ得る。これに関連し、モバイルデバイス１２６は、必ずしもフェムトセル１２４をさらに評価する必要なしに、フェムトセル１２４との接続を要求するべきであるかどうかをさらに判定することができる。パイロット識別子は、アクセスポイントの地理的または相対的位置、アクセスポイントによって利用される送信周波数範囲、電力および／または周期性、アクセスポイントに関連付けられた帰路は安全であるかそれとも不安定であるか（および／またはセキュリティのレベル）、アクセスポイントは移動型であるかそれとも固定型であるか、サービスプロバイダまたはアクセスポイントの所有者（あるいはその種別）などのさらなる要因によって分割することができることが理解されるべきである。
【００３７】
今、図２を参照すると、幾つかのモバイルデバイスをサポートするように構成された無線通信システム２００が示される。システム２００は、対応するアクセスポイント２０４Ａ−２０４Ｇによって各セルがサービスされる例えばマクロセル２０２Ａ−２０２Ｇのような複数のセルの通信を提供する。例えば上述したように、マクロセル２０２Ａ−２０２Ｇに関係するアクセスポイント２０４Ａ−２０４Ｇは、基地局であってもよい。モバイルデバイス２０６Ａ−２０６は、無線通信システム２００の全体にわたり様々な位置に分散して示される。説明されるように、モバイルデバイス２０６Ａ−２０６Ｉは、それぞれ、順方向リンクおよび／または逆方向リンク上で１つまたは複数のアクセスポイント２０４Ａ−２０４Ｇと通信することができる。また、アクセスポイント２０８Ａ−２０８Ｃが示される。説明されるように、これらは、フェムトセルのような、特定のサービス位置に関係するサービスを提供する小規模のアクセスポイントとすることができる。さらにモバイルデバイス２０６Ａ−２０６Ｉは、提供されるサービスを受けるために、これら規模アクセスポイント２０８Ａ−２０８Ｃと通信することができるある例において、無線通信システム２００は、大きな地理的領域のサービスを提供することができる（説明するように、例えばマクロセル２０２Ａ−２０２Ｇが近隣の少数のブロックをカバーすることができ、フェムトセルアクセスポイント２０８Ａ−２０８Ｃが住宅、オフィスビル等のようなエリアに存在し得る）。ある例において、モバイルデバイス２０６Ａ−２０６Ｉは、無線および／または帰路接続によって、アクセスポイント２０４Ａ−２０４Ｇおよび／または２０８Ａ−２０８Ｃとの接続を確立することができる。
【００３８】
さらに、図に示すように、モバイルデバイス２０６Ａ−２０６Ｉはシステム２００の至るところを移動することができ、異なるマクロセル２０２Ａ−２０２Ｇまたはフェムトセルカバレージエリアを介して移動しながら、種々のアクセスポイント２０４Ａ−２０４Ｇおよび／または２０８Ａ−２０８Ｃと関係するセルを再選択することができる。ある例において、１つまたは複数のモバイルデバイス２０６Ａ−２０６Ｉは、フェムトセルアクセスポイント２０８Ａ−２０８Ｃの少なくとも１つと関係するホームフェムトセルに関連付けられ得る。例えば、モバイルデバイス２０６Ｉは、そのホームフェムトセルとしてフェムトセルアクセスポイント２０８Ｂに関連付けられ得る。したがって、モバイルデバイス２０６Ｉは、マクロセル２０２Ｂ内に存在し、ひいてはアクセスポイント２０４Ｂのカバレージエリア内に存在するものの、アクセスポイント２０４Ｂの代わりに（またはそれに加えて）フェムトセルアクセスポイント２０８Ｂと通信することができる。ある例において、フェムトセルアクセスポイント２０８Ｂはモバイルデバイス２０６Ｉに対して望ましい課金または料金、寸時利用、高度サービス（例えば高速ブロードバンドアクセス、メディアサービスなど）のような追加サービスを提供することができる。したがってモバイルデバイス２０６Ｉがフェムトセルアクセスポイント２０８Ｂの範囲内にいる場合、該モバイルデバイス２０６Ｉは、再選択において、フェムトセルアクセスポイント２０８Ｂを支持することにより該フェムトセルアクセスポイント２０８Ｂとの通信に拘束される。
【００３９】
例えば、モバイルデバイス２０６Ｄは、フェムトセルアクセスポイント２０８Ｃに関連付けられ得る。モバイルデバイス２０６Ｄがマクロセル２０２Ｃから２０２Ｄに移動してアクセスポイント２０４Ｄおよび／または２０８Ｃに近づくと、該モバイルデバイス２０６Ｄは、本明細書で説明するように、セル再選択処理を開始することができる。これは例えば、望ましい接続を判定するために、（例えばアクセスポイント２０４Ｃ、２０４Ｄおよび２０８Ｃに関する）周囲セルパラメータを測定することを含み得る。このパラメータには、例えば、信号品質、接続スループット、提供されるサービス、当該アクセスポイントと関係するサービスプロバイダ等が含まれ得る。上記パラメータの測定に先行して、またはこれに続いて、モバイルデバイス２０６Ｄは、例えばアクセスポイント２０４Ｃ、２０４Ｄおよび／または２０８Ｃに関連する、パイロット識別子を含むパイロット信号を受信することができる。このパイロット識別子を利用することにより、モバイルデバイス２０６Ｄは、アクセスポイントに関する追加情報が必要かどうか判定することができる。述べられたように、ある例において、アクセスポイントは、アクセスポイント種別または分類と関係する範囲またはグループにおいて、パイロット識別子を選択するか、（例えば無線ネットワークから）パイロット識別子が割り当てられ得る。したがって、例えば、モバイルデバイス２０６Ｄは、アクセスポイント２０４Ｃおよび２０４Ｄはマクロセルであるがアクセスポイント２０８Ｃはフェムトセルであることを判定することができる。
【００４０】
別の例では、フェムトセルアクセスポイント２０８Ｃは、フェムトセルアクセスポイント２０８Ｃが制限付きアソシエーションを実施するかどうかおよび／またはその程度を指定する範囲またはグループから、パイロット識別子を選択することができ、またはパイロット識別子が割り当てられ得る。更に、利用されるパイロット識別子範囲またはグループは、フェムトセルアクセスポイント２０８Ｃと関係するサービスプロバイダまたは他のエンティティに関連付けられ得る。これにより、モバイルデバイス２０６Ｄが効率的に、フェムトセルアクセスポイント２０８Ｃおよび／またはフェムトセルアクセスポイント２０８Ｃとの接続を要求するべきであるかどうかに関する情報を識別することが可能になる。ある例において、モバイルデバイス２０６Ｄは、マクロセルグループまたは範囲内にあるそれぞれのパイロット識別子に基づいてアクセスポイント２０４Ｃまたは２０４Ｄとの接続確立を要求することができることが理解されるべきである。
【００４１】
ある例において、モバイルデバイス２０６Ｄが追加情報を要する範囲またはグループ内にアクセスポイントが存在することをパイロット識別子が示す場合、モバイルデバイス２０６Ｄは、該アクセスポイントの識別子を、アクセス可能なアクセスポイントのリスト中に存在するものとして確認することができる。該リストは、さらにまたはその代わりに、グループのアクセスポイントを識別することができ、該アクセスポイントのグループ識別子を、リスト内のグループ識別子によって確認することができる。先の例において、モバイルデバイス２０６Ｄは、アクセスポイント２０４Ｃ、２０４Ｄおよび２０８Ｃのパラメータを測定することができ、ランクが高い場合にアクセスポイント２０４Ｃから他のいずれかへのセル再選択を行うべきかどうか判定するためにセルをランク付けることができる。前の例と同様に、（上述のパイロット識別子により少なくとも部分的に識別される通り）フェムトセルアクセスポイント２０８Ｃがモバイルデバイス２０６Ｄのホームフェムトセルに関係する場合、モバイルデバイス２０６Ｄは、（例えば、その値および／またはヒステリシスを増加させ、他のアクセスポイントのパラメータ値を減少させるために追加パラメータオフセットを評価することによって）再選択のためにフェムトセルアクセスポイント２０８Ｃを支持することができる。１つまたは複数の異種のアクセスポイント２０４Ｄおよび／または２０８Ｃがアクセスポイント２０４Ｃより上位にランク付けされる場合、モバイルデバイス２０６Ｄは、該異種のアクセスポイント２０４Ｄまたは２０８Ｃと関係するセルを再選択することができる。
【００４２】
ある例において、１つまたは複数の異種のアクセスポイント２０４Ｄおよび／または２０８Ｃは、いくつかのモバイルデバイスがそれに接続することができず、および／またはアクセスポイント２０４Ｄおよび／または２０８Ｃが、シグナリング、データアクセス、登録、サービス等の提供に関して特定のモバイルデバイスを制限し得る制限付きアソシエーションを実施することができる。これは、例えば、モバイルデバイスのサービスプロバイダおよび制限付きアソシエーションアクセスポイントに少なくとも部分的に基づいてもよい。別の例では、企業所有モバイルデバイスのみにアクセスを制限する企業アクセスポイントのように、制限付きアソシエーションアクセスポイントが特定のモバイルデバイスにかかわってもよい。したがって、制限付きアソシエーションが原因でモバイルデバイス２０６Ｄが１つまたは複数の異種のアクセスポイント２０４Ｄおよび／または２０８Ｃに係るセルを再選択することができない場合、接続できるアクセスポイントを見つけるまで１つまたは複数の他のランクのアクセスポイントとのセル再選択を試みてもよい。モバイルデバイス２０６Ｄがアクセスポイントに係るセルを再選択することができるかどうかの判定は、例えば、アクセスポイント分類を示すグループまたは範囲にパイロット識別子を関連づけることに少なくとも部分的に基づいてもよい。
【００４３】
更に、説明されるように、モバイルデバイス２０６Ａ−２０６Ｉはアクセス可能なアクセスポイントおよび／またはそのグループのリストを維持し得る。ある例において、（マクロセルのような）他の種別のアクセスポイントは実質的に任意のモバイルデバイスからアクセス可能になり得ることから、該リストは（フェムトセルのような）特定種別のアクセスポイントのみを含み得る。アクセス可能なアクセスポイントおよび／またはグループのリストは、例えば上述のような基礎をなす無線ネットワークから情報を取り出すことができる、モバイルデバイス２０６Ａ−２０６Ｉと通信する１つまたは複数のアクセスポイントによって当初は投入され得る。無線システム２００のカバレージエリアの至るところをモバイルデバイス２０６Ａ−２０６Ｉが移動して上述のようにセルを再選択する際に、該モバイルデバイス２０６Ａ−２０６Ｉは、まず、再選択のセルを選択する前に更なる問い合わせが望ましいまたは必要であるかどうか判定すべく、当該セルに係るアクセスポイントのパイロット識別子を評価し得る。
【００４４】
あるセルまたは関連アクセスポイントのパイロット識別子が、セルまたはアクセスポイントが制限付きアソシエーションを実装し得ることを示す範囲またはグループである場合、モバイルデバイス２０６Ａ−２０６Ｉは最初に該セルまたはアクセスポイント（または関連グループ）を関係するリスト中に存在するものとして確認する。ある例において、説明されるような測定に基づいてモバイルデバイス２０６Ａ−２０６Ｉが１つまたは複数のフェムトセルアクセスポイント２０８Ａ−２０８Ｃを最上位にランク付けされたセルであると判定する場合、各フェムトセルアクセスポイントはリストに載っていることを確認することができ、フェムトセルアクセスポイント２０８Ａ−２０８Ｃのパイロット識別子は、該フェムトセルアクセスポイント２０８Ａ−２０８Ｃが制限付きアソシエーションを実装し、かつ／またはそれらがどの程度の制限付きアソシエーションを実施するかを示す。該リストに存在しない場合、モバイルデバイス２０６Ａ−２０６Ｉは、フェムトセルアクセスポイントへのアクセスを試みないことを決定し、最上位の次にランク付けされたアクセスポイントとの接続を試み、かつ／または異なる周波数により別のアクセスポイントを探すよう試みてもよい。代替例においては、アクセスできないセルおよび／またはグループのリストを維持してもよく、この場合、モバイルデバイス２０６Ａ−２０６Ｉは、該リスト内のセルとの接続を試みないことが理解されるべきである。
【００４５】
図３を参照すると、無線通信環境内での運用のための通信装置３００が示される。通信装置３００は、基地局もしくはその一部、モバイルデバイスもしくはその一部、または無線通信環境において送信されたデータを受信する実質的に任意の通信装置であってもよい。通信装置３００は、パイロット信号を通じて１つまたは複数のアクセスポイント（不図示）からパイロット識別子を受信することができるパイロット識別子判定器３０２と、該パイロット識別子に少なくとも部分的に基づいて該アクセスポイントの種別を識別することができるアクセスポイント種別判定器３０４と、該判定された種別に少なくとも部分的に基づいて、アクセスポイントに関する追加情報を要求または判定することができるアクセスポイント質問器３０６とを含み得る。例えば、パイロット識別子空間は、分類またはアクセスポイントの種別を示す種々の範囲またはグループに区分することができ、アクセスポイントは、その分類または種別と関係するグループまたは範囲からパイロット識別子を選択しまたはパイロット識別子が割り当てられる。
【００４６】
一例によれば、パイロット識別子判定器３０２は、１つまたは複数のアクセスポイントと関係するパイロット識別子を受信することができる。パイロット識別子は、無線通信ネットワークにおいて、１つまたは複数のパイロット信号内で受信することができ、かつ／またはパイロット信号チャネルによって受信することができる。ある例において、パイロット識別子判定器３０２は、パイロット信号からパイロット識別子を得ることができる。パイロット識別子を利用することにより、アクセスポイント種別判定器３０４は、該パイロット識別子の範囲および／またはパイロット識別子グルーピングにおける存在によって、アクセスポイントの種別または分類を検知することができる。通信装置３００は、該識別子のグルーピングを、装置３００にハードコーディングする、関連する無線ネットワークとの通信を確立した時に受信する、１つまたは複数のアクセスポイントまたは異種の装置から受信するなど、種々のソースから判定することができる。例えば、フェムトセルのパイロット識別子は、マクロセルのものとは異なる範囲のものになり得る。さらに、制限付きアソシエーションフェムトセルは、制限無しのアソシエーションフェムトセルとは異なる範囲のパイロット識別子を持ち得る。さらに、説明されるように、パイロット識別子は、制限付きアソシエーションが（例えばサービス、登録、シグナリングなどに関して）実施される範囲を示すことができる。
【００４７】
また、アクセスポイント種別判定器３０４は、該パイロット識別子の範囲および／または関連グループに少なくとも部分的に基づいて、位置、利用された周波数範囲、送信に利用される周期性、送信電力、アクセスポイントは安全な帰路によって通信するか不安定な帰路によって通信するか、アクセスポイントは移動型のアクセスポイントであるか固定型のアクセスポイントであるか、および／または当該アクセスポイントと関係する他の通信パラメータを判定することができる。この決定された種別に基づいて、アクセスポイント質問器３０６は該アクセスポイントから追加情報を要求しかつ／または受信することができる。例えば、アクセスポイントは制限付きアソシエーションを実施するとアクセスポイント種別判定器３０４が判定する場合、アクセスポイント質問器３０６は、該アクセスポイントと関係する識別子および／または該アクセスポイントと関係するグループを要求しまたは判定することができる。この識別子を用いることにより、通信装置３００は、該アクセスポイントとの接続確立を要求するべきかどうか判定することができる。上述したように、ある例において、通信装置３００は、アクセス可能なアクセスポイントまたはグループのリストにおいて該識別子の存在を確認することができる。該アクセスポイントに関して次のアクションを判定するために、追加情報を要求しかつ／または利用できることが理解されるべきである。
【００４８】
今、図４を参照すると、アクセスポイントを分類するためにパイロット識別子を利用する無線通信システム４００が示される。無線デバイス４０２、アクセスポイント４０４および／または４０６は、基地局、フェムトセル、モバイルデバイスまたはそれらの一部でもよい。ある例において、無線デバイス４０２は逆方向リンクまたはアップリンクチャネルによってアクセスポイント４０４および／または４０６に情報を送信することができ、また無線デバイス４０２は順方向リンクまたはダウンリンクチャネルによってアクセスポイント４０４および／または４０６から情報を受信することができる。システム４００はＭＩＭＯシステムでもよい。ある例において、図示し以下で説明する無線デバイス４０２内のコンポーネントおよび機能性は、アクセスポイント４０４および／または４０６の中に存在してもよく、逆もまた同様である。図示の構成は、説明を簡便にするために、これらコンポーネントを排除している。
【００４９】
無線デバイス４０２は、周囲セルパラメータを測定でき、無線通信を受信するための１つまたは複数のセルの再選択のためにセルをランク付けできるセル再選択器４０８と、アクセスポイントと関係するパイロット識別子を（例えばパイロット信号から）得ることができるパイロット識別子受信器４１０と、該パイロット識別子に少なくとも部分的に基づいて該アクセスポイントの種別を判定できるアクセスポイント種別判定器４１２と、該決定された種別に基づいて、該アクセスポイントの制限付きアソシエーション状態を受信できる制限付きアソシエーション判定器４１４と、アクセス可能なアクセスポイント、優先アクセスポイント、アクセスポイントに関連するグループ等のリストを維持できるアクセスリスト制御器４１６と、を含んでいる。ある例において、アクセスポイントのリストは、無線デバイス４０２がアクセスできる制限付きアソシエーションを実施する、個別のまたはグループのアクセスポイントに関連し得る。これにより例えば、制限付きアソシエーションアクセスポイントの識別子を判定すると、該識別子を、接続確立を試みる前に該リストにおいて確認することができる。
【００５０】
説明されているように、アクセスポイント４０６は、アクセスポイント４０６の種別を判定できるアクセスポイント種別指定器４１８と、該決定された種別と関係するグループからパイロット識別子を選択でき、かつ／またはパイロット識別子が割り当てられ得るパイロット識別子選択器４２０と、アクセスポイント４０６が制限付きアソシエーションを実施するかどうか、および／またはそれをどの程度まで実施するかどうかを指定できる制限付きアソシエーション指示子４２２とを含んでいる。制限付きアソシエーションを実装しないアクセスポイント（例えばマクロセル）の種別は、制限付きアソシエーション指示子４２２を含んでいる必要はないことが理解されるべきである。一例において、パイロット識別子選択器４２０は、種別、位置、送信電力、送信周期性、送信周波数範囲、セキュリティ対策、モビリティ、および／またはアクセスポイント４０６の他の通信パラメータに基づいて、パイロット識別子を選択し、かつ／またはパイロット識別子が割り当てられ得る。これに関連し、説明されるように、該識別子の受信器は、アクセスポイント４０６に関する関連情報を該パイロット識別子から効率的に判定することができる。
【００５１】
一例によれば、説明されているように、無線デバイス４０２は無線通信システムに参加し、該システムの周囲を移動してアクセスポイント４０４および／または４０６のような１つまたは複数の異種のアクセスポイントから無線サービスアクセスを受信することができる。説明されるように、アクセスポイント４０４および／または４０６は、１つまたは複数のマクロセルを実装する基地局のような広範のエリアカバレージ、および／または、住宅、オフィスビル、会場などに設定されたフェムトセルのような、より局所的な特定のカバレッジを提供することができる。現在のアクセスポイント４０４の範囲から出てアクセスポイント４０６のような新規のアクセスポイントの範囲に入ると、説明されているようにセル再選択器４０８は、そこでの通信に関して、アクセスポイント間でセルを再選択することができる。これは、アクセスポイント４０４および４０６に関するパラメータの評価により判定することができる。この判定は、複数のパラメータに基づくことができる。説明されるように、例えば信号強度のみならずアクセスポイント種別、提供されるサービス、利用可能なスループット、無線デバイス４０２のホームアクセスポイントかどうか、などに基づくことができる。これに関連し、無線デバイス４０２は、無線ネットワーク全体を移動する際のシームレスな通信をサポートする。
【００５２】
一例によれば、無線デバイス４０２は無線通信サービスを受信するためにアクセスポイント４０４と通信することができる。説明されているように、無線デバイス４０２は移動することができ、セル再選択器４０８は、無線通信サービスを継続するためにセル再選択がいつ適切かを判定するために周囲セルを評価することができる。これは、例えば、信号品質が良いアクセスポイントの範囲内で無線デバイス４０２が移動し、その間に接続しているアクセスポイント４０４から離れ、信号品質が低下する場合に起こり得る。これに関連し、セル再選択器４０８は周囲セルパラメータを測定し、該パラメータに従ってセルをランク付けすることができる。ある例において、ランク付けリストの最上位から現在のアクセスポイント４０４が下落する場合、無線デバイス４０２は、最上位にランク付けされたアクセスポイントへのセル再選択を始めることができる。
【００５３】
アクセスポイントのランク付けに先行し、またはこれに続き、無線デバイス４０２は、効率的にアクセスポイントに関する情報を識別して次の動作を促進することができる。例えば、アクセスポイント４０６は、無線デバイス４０２によって評価され得るパイロット信号を送信することができる。ある例において、アクセスポイント種別指定器４１８は、アクセスポイント４０６と関係する１つまたは複数の種別または分類を判定することができる。その後、パイロット識別子選択器４２０は、決定された種別または分類と関係するグルーピングまたは範囲からパイロット識別子を選択するか、または（例えば無線ネットワークから）該パイロット識別子を割り当てられ得る。例えば、マクロセルがパイロット識別子空間の一部を用いることができ、フェムトセルが別の部分を用いることができ、セルリレーがさらに別の部分を用いることができ、モバイルセルは一部その他を用いることができる。それに加えて、またはそれとは別に、先のグループ内の種別は、さらに識別子のグループまたは範囲に分類することができる。例えば、制限付きアソシエーションが、フェムトセルグループ内の制限無しのものとは異なるグループを利用することができ、グループは実装される制限付きアソシエーションの多重レベルに基づいて定義することができ、ブロードカバレッジはローカルカバレッジとは異なるグループを利用することができる、移動型のアクセスポイントは、固定型のアクセスポイントとは異なるグループを利用することができる。グループ分けは、送信電力、周波数、周期性、位置、セキュリティ、サービスプロバイダまたは、アクセスポイントの所有者等に基づくことができる。
【００５４】
アクセスポイント４０６は、該パイロット識別子をパイロット信号チャネルにより無線デバイス４０２等に送信することができる。説明されているように、無線デバイス４０２は、例えば、セル再選択器４０８によって開始されたセル再選択の役割としての上記パイロット信号を受信することができる。ある例において、パイロット識別子受信器４１０は、パイロット信号チャネルにより受信され得るパイロット信号からパイロット識別子を判定することができる。アクセスポイント種別判定器４１２は、該パイロット識別子に基づいてアクセスポイント４０６の種別を検出することができる。説明されているように、アクセスポイント種別判定器４１２は、該パイロット識別子が含まれるグループまたは範囲を評価し、効率的にその分類または種別を判定することができる。例えば、パイロット識別子がマクロセルグループの範囲内である場合、該アクセスポイント種別判定器はアクセスポイント４０６をマクロセルアクセスポイントとして検出し、従って例えば他の前もって必要な動作を必要とせずに、接続確立を要求することができる。パイロット識別子がフェムトセルに確保された範囲内である場合、アクセスポイント種別判定器４１２はアクセスポイント４０６をフェムトセルであると認識し、さらに制限付きアソシエーション判定器４１４がアクセスポイント４０６に問合わせを行うか、１つまたは複数の関連する信号の問合わせを行って、制限付きアソシエーション識別子を判定する。これに関連し、制限付きアソシエーション指示子４２２には、および／または要求に応じたビーコン、パイロットなどのような１つまたは複数のブロードキャスト信号における制限付きアソシエーション識別子が含まれ得る。例えば、アクセスリスト制御器４１６は、アクセス可能なアクセスポイントまたは関連するグループ識別子のリストに存在するものとして制限付きアソシエーション識別子を確認することができる。また、ある例において、セル再選択器４０８は、アクセスポイント４０６と関係するセクタ識別子を（例えば要求等に対する応答に基づくビーコンまたはパイロット信号から）、アクセスポイント種別判定器４１２がフェムトセルおよび／または制限付きアソシエーションを実施するフェムトセルとしてアクセスポイント４０６の種別を検出することに基づいて判定することができる。
【００５５】
また、説明されるように、パイロット識別子は、１つまたは複数の異種の態様を示すように選択し、かつ／またはアクセスポイント４０６に割り当てることができる。したがって、例えば、セル再選択のためのランク付けの最中に、アクセスポイント種別判定器４１２は、指定されたパイロット識別子と関係するアクセスポイント４０６の付加的な態様を判定することができる。例えば、パイロット識別子は、アクセスポイント４０６の位置に従って予約されたグループ内のものであってもよく、これによりアクセスポイント種別判定器４１２は、アクセスポイント４０６に関するセル再選択において考慮され得るアクセスポイント４０６の位置を判定することができる。同様に、パイロット識別子を、特定のプロトコル、周波数、周期性、セキュリティレベル、サービスプロバイダ、アクセスポイント所有者、所有者の種別（例えば、商用、政府、個人、教育）、アクセスポイントの種別（例えばモバイル、固定等）を実装するアクセスポイントのために予約されたグループ内のものとしてもよい。この情報は、アクセスポイント種別判定器４１２によって効率的に判定され、セル再選択器４０８によるセル再選択において利用され得る。また、説明されているように、パイロット識別子は、アクセスポイント４０６が制限付きアソシエーションを実施するかどうか、どの程度（例えばシグナリング、サービス、登録など）まで実施するかといった制限付きアソシエーションパラメータに基づいて予約されたグループ内に付加的に存在してもよい。
【００５６】
図５−図７を参照すると、アクセスポイントと関係する種別および／または分類を効果的に示すためのパイロット識別子の利用およびセル再選択に関する方法が示される。説明の簡単化のために、方法を一連のアクトとして示すが、該方法はアクトの数または順序で限定的ではなく、いくつかのアクトが、一つまたは複数の実施形態に従い、ここで示され説明される他のアクトとは異なる順序で生じ、および／または同時に生じてもよいことが理解され、了解されるであろう例えば当業者であれば、方法は、状態遷移図でのように相互に関係する一連の状態またイベントとして代替的に表わすことができるかもしれないことを理解し認識するであろう。また、１つまたは複数の実施形態に従って方法を実施するために、示されるアクトのすべてが必ずしも必要であるとは限らない。
【００５７】
図５を参照すると、無線通信におけるセル再選択を促進する方法５００が示される。５０２では、関連する１つまたは複数のパラメータを判定するために周囲セルを測定する。説明されているように、該パラメータは、信号強度、スループットなどの通信メトリクスおよび／またはアクセスポイント識別子、グループ識別子、提供されたサービス、関連するアクセスプロバイダなどのような１つまたは複数のさらなる事項に関係し得る。また、パラメータは、エンハンスト課金態様、追加サービスまたは速度、および／または同種のものを提供するホームアクセスポイントによって提供されるセルに関係し得る。またパラメータは、（例えばホームアクセスポイントのような）望ましいアクセスポイントの対価を増加させ、および／または他のアクセスポイントの対価を減少させるオフセットまたはヒステリシスに関係し得る。５０４では、決定されたパラメータに従って周囲セルをランク付けし得る。このランキングは、無線通信サービスを受信する望ましいセルの順序を示すことができる。
【００５８】
５０６では、最上位にランク付けされたセルは現在利用されているかものかどうか判定され得る。上記判定は最適なアクセスポイントとの接続を確認するために利用され得る。最上位にランク付けされたセルは無線通信を受信するために現在利用されているセルである場合、方法は周囲セルを再度測定するステップ５０２に戻る。ある例において、これは、セル測定でネットワークをあふれさせることのないように、また絶えずセルを測定することによりリソースを費やすことのないように、タイマーに基づくことができる。最上位にランク付けされたセルが現在利用されているセルでない場合、５０８では、本明細書で説明するように、最上位にランク付けされたセルを再選択するためのセル再選択が行われ得る。ある例において、ひとたび再選択が完了すると、方法は、周囲セルを測定し続けるステップ５０２に進み得ることが理解されるべきである。説明されているように、アクセスポイントは、基地局、フェムトセル、および／または同種のものであり得る。
【００５９】
図６を参照すると、関連するパイロット識別子に基づいてアクセスポイント種別を判定する方法６００が示される。６０２では、アクセスポイントからパイロット信号が受信され得る。説明されているように、該信号はパイロット信号チャネルによって受信することができ、該アクセスポイントと関係する１つまたは複数の態様の識別のために送信することができる。６０４では、アクセスポイントを識別するパイロット信号からパイロット識別子が得られる。例えば、該パイロット識別子はパイロット信号内に含まれ得る。したがって、該識別子を抽出するかあるいは取得することができる。６０６では、当該パイロット識別子が関係するパイロット識別子の範囲またはグループが判定され得る。説明されているように、この範囲またはグループは、アクセスポイントがフェムトセルまたはマクロセルかどうか、固定型または移動型、アクセスポイントの位置、送信電力、帯域、あるいは利用される周期性、アクセスポイントのセキュリティ態様等のような、該アクセスポイントの分類または種別に関し得る。したがって、６０８では、該範囲またはグループに少なくとも部分的に基づいて該アクセスポイントの種別が判定され得る。続いてこの情報は、説明されているように、決定された種別または分類に基づき、アクセスポイントに関して１つまたは複数の次の動作を取るために利用できることが理解されるべきである。
【００６０】
図７を参照すると、アクセスポイントの種別に基づいてパイロット識別子を選択し送信する方法７００が示される。７０２では、アクセスポイントの種別が判定され得る。例えばこの種別は、アクセスポイントがマクロセルまたはフェムトセルかどうか、制限付きアソシエーションを実施するかどうか、および／または上述した１つまたは複数の付加的なパラメータに関し得る。７０４では、該アクセスポイントの種別と関係するパイロット識別子の範囲が判定され得る。したがって、例えばパイロット識別子は、説明されたアクセスポイントの１つまたは複数の態様と関係する範囲から選択することができる。７０６では、決定された該範囲からパイロット識別子が選択され得る。別の例では、パイロット識別子が該範囲から割り当てられ得る。７０８では、該パイロット識別子を含むパイロット信号が無線ネットワーク上に送信され得る。したがって、説明されているように、該パイロット信号を受信するデバイスは、該パイロット識別子に基づいてアクセスポイントの１つまたは複数の態様を効率的に識別することができる。
【００６１】
本明細書で説明された１つまたは複数の態様に従って、説明されるように、パラメータの測定、該パラメータ（および／または付加的なパラメータ）に従ってセルをランク付けること、（再選択をいつ行うべきか等の）実際の再選択の態様のような、セル再選択の多くの態様に関して推論を行うことができることを理解されたい。本明細書で使用するように、「推論する」または「推論」という用語は普通、イベントおよび／またはデータを介して捕捉された一式の観察からシステム、環境および／またはユーザの状態を推測または推論するプロセスのことを言う。推論は、例えば、特定の内容または動作を識別するために利用することができる、または状態にわたる確率分布を生成することができる。推論は確率的なもの、すなわち、データおよびイベントの検討に基づく当該状態にわたる確率分布の演算であってもよい。推論はまた、一式のイベントおよび／またはデータからより高レベルのイベントを構成するために利用される技法のことであると言うこともできる。このような推論は、イベントが一時的近接で相関しているかどうか、ならびにイベントおよびデータが１つまたはいくつかのイベントおよびデータソースから来ているかどうかに関わらず、一式の観察されたイベントおよび／または記憶されたイベントデータからの新規イベントまたは動作の構築につながる。ある例において、パイロット識別子に選択する識別子グループの判定のために、アクセスポイントの種別および／または分類を判定する際に、推論がさらになされてもよい。
【００６２】
図８は、アクセスポイント種別および／または分類を該アクセスポイントと関係するパイロット識別子に少なくとも部分的に基づいて判定することを促進するモバイルデバイス８００の図である。モバイルデバイス８００は、例えば受信アンテナ（不図示）から信号を受信し、受信信号に対して（例えば、フィルターし、増幅し、ダウンコンバートするなどの）典型的な動作を行い、および、該調整された信号をデジタル化してサンプルを得る受信機８０２を具備する。受信機８０２は、受信シンボルを復調し、チャネル推定のためにプロセッサ８０６にそれらを提供し得る復調器８０４を具備することができる。プロセッサ８０６は、受信機８０２によって受信された情報を分析し、および／または送信機８１６による送信のための情報を生成するプロセッサ、モバイルデバイス８００の１つまたは複数のコンポーネントを制御するプロセッサ、および／または受信機８０２によって受信された情報を分析し、送信機８１６による送信のための情報を生成し、モバイルデバイス８００の１つまたは複数のコンポーネントを制御するプロセッサであり得る。
【００６３】
モバイルデバイス８００はさらに、動作可能なようにプロセッサ８０６に結合され、送信されるデータ、受信されたたデータ、利用可能チャネルに関する情報、分析された信号および／または干渉強度に関するデータ、割り当てられたチャネル電力、レートなどに関する情報、チャネルを推定し、該チャネルを通じて通信するための任意の他の適合する情報を記憶し得るメモリ８０８を具備し得る。メモリ８０８はさらに、チャネルを推定し、かつ／または（例えば性能ベース、容量ベースなどで）チャネルを利用することに関連付けられるプロトコルおよび／またはアルゴリズムを記憶することができる。
【００６４】
本明細書で説明されたデータ記憶（例：メモリ８０８）は、揮発性メモリまたは不揮発性メモリのいずれかであってもよく、揮発性メモリおよび不揮発性メモリの両方を含んでもよいことが理解されるであろう。限定ではなく例として、不揮発性メモリは、読み取り専用メモリ（ＲＯＭ）、プログラマブルＲＯＭ（ＰＲＯＭ）、電気的にプログラム可能なＲＯＭ（ＥＰＲＯＭ）、電気的に消去可能なＰＲＯＭ（ＥＥＰＲＯＭ）またはフラッシュメモリを含んでもよい。揮発性メモリはランダムアクセスメモリ（ＲＡＭ）を含み、外部キャッシュメモリとして働く。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）およびダイレクトＲａｍｂｕｓＲＡＭ（ＤＲＲＡＭ（登録商標））のような様々な形式が利用可能である。本主題のシステムおよび方法におけるメモリ８０８は、これらおよび他の任意の適合する種類のメモリを含むことが意図されるが、これらには限定されない。
【００６５】
プロセッサ８０６および／または受信機８０２は、１つまたは複数のアクセスポイントからパイロット識別子を受信するパイロット識別子受信機８１０に動作可能なように結合され得る。説明されているように、パイロット識別子は受信パイロット信号に含まれ得る。プロセッサ８０６は、アクセスポイントの種別および／または分類を該パイロット識別子に少なくとも部分的に基づいて検出できるアクセスポイント種別判定器８１２に動作可能なように結合される。例えば、説明されているように、種別または分類に基づいて、アクセスポイントに対してパイロット識別子が選択され、または割り当てられ得るこれに関連し、該識別子は、種別および／または分類と関係する識別子の範囲および／またはグループ内となり得る。例えば、アクセスポイントはフェムトセルであってもよく、アクセスポイント種別判定器８１２は、他の種別のセルとは異なるフェムトセルであることを示すグループまたは識別子の範囲内にパイロット識別子が適合することを検知することができる。また、グループまたは範囲は、説明されているように、制限付きアソシエーション、位置、サービスプロバイダ、所有者、送信電力、帯域、または周期性、および／または、種別、モビリティなどのようなアクセスポイントと関係する他の態様に関連づけられた態様をも示し得る。さらにまた、モバイルデバイス８００は、信号を変調し、例えば基地局や別のモバイルデバイスに送信する変調器８１４および送信機８１６を具備する。プロセッサ８０６とは別個のものとして示されているが、パイロット識別子受信器８１０、アクセスポイント種別判定器８１２、復調器８０４、および／または変調器８１４は、プロセッサ８０６または複数のプロセッサ（不図示）の一部であり得ることが理解されるべきである。
【００６６】
図９は、アクセスポイント種別または分類を示すパイロット識別子を選択し送信するのを促進するシステム９００の図である。システム９００は、複数の受信アンテナ９０６によって１つまたは複数のモバイルデバイス９０４から信号を受信する受信機９１０と、送信アンテナ９０８によって１つまたは複数のモバイルデバイス９０４に送信をする送信機９２４とを備えた基地局９０２（例えばアクセスポイント、フェムトセル、…）を具備する。受信機９１０は、受信アンテナ９０６から情報を受信することができ、受信情報を復調する復調器９１２と動作可能なように関連付られる。復調されたシンボルは、図８に関して上述したプロセッサと同様のものとすることができるプロセッサ９１４によって分析され、メモリ９１６に結合される。メモリ９１６は、信号（例えばパイロット）の強度および／または干渉の強度、モバイルデバイス９０４（あるいは異種の基地局（不図示））に送信し、またはそこから受信したデータ、および／または本明細書で述べられた種々の動作および機能の実行に関係する任意の他の適合する情報の評価に関する情報を記憶する。さらにプロセッサ９１４は、基地局９０２に関する種別および／または分類を判定するアクセスポイント種別判定器９１８と、パイロット識別子を選択し、かつ／または種別および／または分類に関するパイロット識別子を割り当てられるパイロット識別子指定器９２０とに結合される。
【００６７】
一例によれば、アクセスポイント種別判定器９１８は、基地局９０２の種別を受信するか検出することができる。これは、例えば、説明されるように、基地局９０２がマクロセルまたはフェムトセルカバレッジを提供するか、基地局９０２が制限付きアソシエーションを実施するか（または制限付きアソシエーションを実施する程度）、基地局９０２の位置、基地局９０２のモビリティ、基地局９０２の他の通信パラメータ、基地局９０２の所有者、所有者種別、またはサービスプロバイダ等に関し得る。説明されるように、パイロット識別子指定器９２０は、基地局９０２に関する１つまたは複数の種別または分類を示す既知の識別子グループおよび／または範囲から、パイロット識別子を選択することができる。また、ある例において、送信機９２４は、パイロット信号によってパイロット識別子を送信することができ、該パイロット信号はモバイルデバイス９０４が受信して利用することができ、１つまたは複数の種別または分類を効率的に判定することができる。更に、プロセッサ９１４とは別個のものとして示されているが、アクセスポイント種別判定器９１８、パイロット識別子指定器９２０、復調器９１２、および／または変調器９２２をプロセッサ９１４または複数のプロセッサ（不図示）の一部のものとしてもよいことが理解されるべきである。
【００６８】
図１０は、無線通信システム例１０００のブロック図を示す。無線通信システム１０００は、簡潔さの目的のため、１台の基地局１０１０と１台のモバイルデバイス１０５０を表現している。しかしながら、システム１０００が２以上の基地局および／または２以上のモバイルデバイスを含むことができ、追加の基地局および／またはモバイルデバイスが下記に述べられた基地局例１０１０およびモバイルデバイス１０５０と実質的に同様であってもよくまたは相違してもよいことが理解されるべきである。また、本明細書で説明された基地局１０１０および／またはモバイルデバイス１０５０が、それらの間の無線通信を促進するためにシステム（図１−図４および図８−図９）および／または方法（図５−図７）を用いることができることが理解されるべきである。
【００６９】
基地局１０１では、幾つかのデータストリームがデータソース１０１２から送信（ＴＸ）データプロセッサ１０１４に提供される。一例によれば、各データストリームは、それぞれのアンテナによって送信することができる。ＴＸデータプロセッサ１０１４は、符号化データを提供するために当該データストリームについて選択された特定の符号化スキームに基づいて、該トラフィックデータストリームをフォーマットし、符号化し、およびインタリーブする。
【００７０】
各データストリームの符号化データは、直交周波数分割多重（ＯＦＤＭ）技術を用いてパイロットデータに多重化されてもよい。それに加えて、またはそれとは別に、パイロットシンボルを周波数分割多重化（ＦＤＭ）、時分割多重化（ＴＤＭ）または符号分割多重化（ＣＤＭ）することができる。パイロットデータは、典型的に、既知の方法で処理されチャネル応答を推定するためにモバイルデバイス１０５０で用いられる既知データパターンである。その後、各データストリームに関して多重パイロットおよび符号化データは、変調シンボルを提供するためにそのデータストリームに選ばれた、特定の変調スキーム（例えば二進移相変調（ＢＰＳＫ）、４位相偏移変調（ＱＰＳＫ）、複数の位相偏移キーイング（Ｍ−ＰＳＫ）またはＭ−順序直交振幅変調（Ｍ−ＱＡＭ）など）に基づいて、変調され得る（例えばマッピングされたシンボル）。各データストリームのデータレート、符号化、および変調は、プロセッサ１０３０により実行され、または提供される命令によって決定され得る。
【００７１】
該データストリームの変調シンボルは、（例えばＯＦＤＭの）該変調シンボルをさらに処理することのできるＴＸ  ＭＩＭＯプロセッサ１０２０に提供され得る。ＴＸ  ＭＩＭＯプロセッサ１０２０は、ＮＴ個の変調シンボルストリームをＮＴ個の送信機（ＴＭＴＲ）１０２２ａ乃至１０２２ｔに提供する。種々の実施形態では、ＴＸ  ＭＩＭＯプロセッサ１０２０は、データストリームのシンボル、および該シンボルが送信されているアンテナにビームフォーミング・ウェイトを適用する。
【００７２】
各送信機１０２２は、１つまたは複数のアナログ信号を提供するためにそれぞれのシンボルストリームを受信して処理し、さらに該アナログ信号を整えて（例えば、増幅し、フィルターし、アップコンバートし）、ＭＩＭＯチャネルによる送信に適した変調信号を提供する。さらに、送信機１０２２ａ乃至１０２２ｔからのＮＴ個の変調信号は、それぞれ、ＮＴ本のアンテナ１０２４ａ乃至１０２４ｔから送信される。
【００７３】
モバイルデバイス１０５０では、この送信された変調信号がＮＲ本のアンテナ１０５２ａ乃至１０５２ｒによって受信される。また、各アンテナ１０５２からの該受信信号は、それぞれ受信機（ＲＣＶＲ）１０５４ａ乃至１０５４ｒに提供される。各受信機１０５４は、それぞれの受信信号を整え（例えばフィルターし、増幅し、ダウンコンバートし）、該整えられた信号をデジタル化してサンプルを提供し、さらに該サンプルを処理して対応する「受信」シンボルストリームを提供する。
【００７４】
ＲＸデータプロセッサ１０６０は、特定の受信機処理技術に基づいて、ＮＲ個の受信器１０５４からのＮＲ個の受信シンボルストリームを受信して処理することができ、ＮＴ個の「検出された」シンボルストリームを提供する。ＲＸデータプロセッサ１０６０は、データストリームのトラフィックデータを回復するために、各検出シンボルストリームを復調し、デインターリーブし、復号することができる。ＲＸデータプロセッサ１０６０による処理は、基地局１０１０のＴＸ  ＭＩＭＯプロセッサ１０２０およびＴＸデータプロセッサ１０１４によって実行されるものと相補的である。
【００７５】
上述したように、プロセッサ１０７０は、どのプリコーディング行列を利用するかを定期的に判定することができる。またプロセッサ１０７０は、行列インデックス部およびランク値部を含む逆方向リンクメッセージを策定することができる。
【００７６】
この逆方向リンクメッセージは、通信リンクおよび／または受信データストリームに関する各種の情報を含んでもよい。逆方向リンクメッセージは、データソース１０３６からの幾つかのデータストリームのトラフィックデータを受信するＴＸデータプロセッサ１０３８によって処理し、変調器１０８０によって変調し、送信機１０５４ａ乃至１０５４ｒにより整えて基地局１０１０に送り戻すことができる。
【００７７】
基地局１０１０では、モバイルデバイス１０５０からの変調信号がアンテナ１０２４によって受信され、受信機１０２２によって整えられ、復調器１０４０によって復調され、ＲＸデータプロセッサ１０４２によって処理され、モバイルデバイス１０５０により送信された逆方向リンクメッセージが得られる。さらに、プロセッサ１０３０は、該得られたメッセージを処理することができ、ビームフォーミングウェイトを決定するためにどのプリコーディング行列を用いるかを決定する。
【００７８】
プロセッサ１０３０および１０７０は、それぞれ、基地局１０１０およびモバイルデバイス１０５０での動作を指示する（例えば、制御し、調整し、管理するなど）ことができる。プロセッサ１０３０および１０７０それぞれは、プログラムコードおよびデータを記憶するメモリ１０３２および１０７２に関連付けることができる。プロセッサ１０３０および１０７０は、それぞれ、アップリンクおよびダウンリンクの周波数およびインパルス応答推定を得るための計算を行うことができる。
【００７９】
ここに説明された実施形態は、ハードウェア、ソフトウェア、ファームウェア、ミドルウェア、マイクロコードまたは任意のそれらの組合せによって実装され得ることが理解される。ハードウェア実装について、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、ここに説明された機能を実行するように設計された他の電子ユニット、コンピュータ、またはそれらの組合せの範囲内で実装されてもよい。
【００８０】
実施形態がソフトウェア、ファームウェア、ミドルウェアまたはマイクロコード、プログラムコードまたはコードセグメントで実装される場合、それらをストレージコンポーネントのような機械可読媒体に格納することができる。コードセグメントはプロシージャ、関数、サブプログラム、プログラム、ルーチン、サブルーチン、モジュール、ソフトウェアパッケージ、クラス、または命令、データ構造、もしくはプログラム文の任意の組合せを表わすことができる。コードセグメントは、情報、データ、引数、パラメータ、あるいはメモリコンテンツを渡し、かつまたは受け取ることにより、別のコードセグメントまたはハードウェア回路に結合することができる。情報、引数、パラメータ、データ等は、メモリ共有、メッセージパッシング、トークンパッシング、ネットワーク送信などを含む何らかの適切な手段を用いて渡し、フォワードし、または送信してもよい。
【００８１】
ソフトウェア実装について、本明細書で説明された技術は、本明細書で説明された機能を実行するモジュール（例えばプロシージャ、関数など）に実装することができる。ソフトウェアコードは記憶装置に格納し、プロセッサによって実行することができる。記憶装置はプロセッサ内に実装してもよいし、プロセッサ外部のものとしてもよい。その場合には、当該技術分野において知られる種々の手段によりプロセッサに対して通信可能に結合してもよい。
【００８２】
図１１を参照すると、１つまたは複数のアクセスポイントに関する種別および／または分類を識別するために受信したパイロット識別子を利用するシステム１１００が示される。システム１１００は、例えば、基地局、フェムトセル、モバイルデバイスなどの内部に存在することができる。図示のように、システム１１００は、プロセッサ、ソフトウェアまたはそれらの組合せ（例えばファームウェア）によって実装される機能を表わし得る機能ブロックを含んでいる。システム１１００は、連動する電気部品の論理グルーピング１１０２を含んでいる。論理グルーピング１１０２は、アクセスポイント１１０４からパイロット信号を受信するための手段を含むことができる。説明されているように、パイロット信号は、アクセスポイントに関する１つまたは複数の態様を識別するために、アクセスポイントがパイロット信号チャネルによって送信することができる。さらに、論理グルーピング１１０２は、アクセスポイント１１０６を識別する、該パイロット信号に含まれたパイロット識別子を受信するための手段を含み得る。この点に関して、パイロット識別子はアクセスポイントを識別するために利用することができ、別の例では、パイロット識別子は追加情報を示すことができる。これに関連し、論理グルーピング１１０２は、該アクセスポイントの種別を該パイロット識別子に少なくとも部分的に基づいて判定するための手段１１０８を含むことができる。説明されているように、パイロット識別子を、該アクセスポイントに関する種別および／または分類の情報を示す範囲またはグループから選択することができる。したがって、ある例において、グルーピングおよび／または範囲の情報を、種別および／または分類を判定するために利用することができる。さらに、システム１１００は、電気部品１１０４、１１０６および１１０８に関連付けられた機能を実行するための命令を保存するメモリ１１１０を含むことができる。メモリ１１１０の外側にあるものとして示したが、一つまたは複数の電気部品１１０４、１１０６および１１０８がメモリ１１１０内に存在してもよいことを了解されたい。
【００８３】
図１２を参照すると、１つまたは複数のアクセスポイントの種別および／または分類を識別するためにグループまたは範囲からパイロット識別子を選択するシステム１２００が示される。システム１２００は、例えば、基地局、フェムトセル、モバイルデバイスなどの内部に存在することができる。図示のように、システム１２００は、プロセッサ、ソフトウェアまたはそれらの組合せ（例えばファームウェア）によって実装される機能を表わし得る機能ブロックを含んでいる。システム１２００は、パイロット識別子の選択を促進する電気部品の論理グルーピング１１０２を含んでいる。論理グルーピング１２０２は、無線通信ネットワークにおいて通信するためにアクセスポイントの種別を受信するための手段１２０４を含むことができる。説明されているように、該種別は、上述したように、（アクセスポイントでありえる）システム１２００がフェムトセルまたはマクロセルカバレッジを提供するかどうか、制限付きアソシエーションを実施するかどうか、システム１２００の位置、その所有者または所有者の種別、セキュリティ測定、通信パラメータ、システム１２００は固定型または移動型か、等に関し得る。さらに、論理グルーピング１２０２は、アクセスポイントの種別に関するパイロット識別子の範囲を判定するための手段１２０６を含むことができる。これに関連し、パイロット識別子空間は、種別および／または分類の効率的な識別を可能にするよう分離され得る。さらに、論理グルーピング１２０２は、無線通信ネットワークへのパイロット信号による後の送信のために前記パイロット識別子範囲からパイロット識別子を選択するための手段１２０８を含むことができる。さらに、システム１２００は、電気部品１２０４、１２０６および１２０８に関連付けられた機能を実行するための命令を保存するメモリ１２１０を含むことができる。メモリ１２１０の外側にあるものとして示したが、一つまたは複数の電気部品１２０４、１２０６および１２０８がメモリ１２１０内に存在してもよいことを了解されたい。
【００８４】
以上説明した事項は、一または複数の実施形態の例を含んでいる。当然ながら、前述の実施形態を説明する目的のために、コンポーネントまたはメソドロジの考えられる組合せをすべて説明することはできない。しかし、当業者であれば、多くのさらなる組合せおよび種々の実施形態の置換が可能であることを認識することができる。従って、説明された実施形態は、添付の特許請求の精神および範囲に含まれる変更、修正および変形のすべてを包含することが意図される。さらに、用語「含む（ｉｎｃｌｕｄｅ）」が詳細な説明またはクレームのいずれかで用いられる限りにおいて、この用語は、クレームで遷移語として使用され、「具備する（ｃｏｍｐｒｉｓｉｎｇ）」が解釈される場合の用語「具備する」と同様に、包括的であることが意図されている。また、説明された態様および／または実施形態の要素は、単数で説明されクレームされ得るが、単数への限定が明示的に記載されない限り、複数であることが意図される。さらに、任意の態様および／または実施形態の全てまたは一部は、別段の断りがない限り、任意の他の態様および／または実施形態の全てまたは一部とともに用いられ得る。
【００８５】
本明細書に開示された実施形態に関して説明された様々な例示的なロジック、論理ブロック、モジュール、および回路は、汎用プロセッサ、デジタル信号プロセッサ（ＤＳＰ）、特定用途向け集積回路（ＡＳＩＣ）、フィールドプログラム可能なゲートアレイ信号（ＦＰＧＡ）またはその他のプログラム可能な論理素子、離散ゲートもしくはトランジスタ論理、離散的ハードウェアコンポーネント、あるいは本明細書で説明される機能を実行するように設計されたそれらの任意の組合せを用いて実装または実行され得る。汎用プロセッサはマイクロプロセッサであってよいが、代替案では、プロセッサは任意の通常のプロセッサ、コントローラ、マイクロコントローラ、または状態機械であってもよい。プロセッサは、コンピューティング装置の組合せ（例えば、ＤＳＰとマイクロプロセッサの組合せ、複数のマイクロプロセッサ、ＤＳＰコアと共に１つまたは複数のマイクロプロセッサ、または任意の別のそのような構成）として実装されてもよい。さらに、少なくとも１つのプロセッサは、上記で説明された１つまたは複数のステップおよび／またはアクションを行うように動作可能な１つまたは複数のモジュールを含んでもよい。
【００８６】
さらに、本明細書で開示される態様に関して説明される方法またはアルゴリズムのステップおよび／またはアクションは、ハードウェアの形で直接的に、プロセッサによって実行されるソフトウェアモジュールの形で、またはそれら２つの組合せの形で実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている任意のその他の形式の記憶媒体の中に存在し得る。例示的な記憶媒体は、プロセッサが記憶媒体から情報を読み取り、記憶媒体に情報を書き込むことが可能であるようにプロセッサに結合され得る。代替案では、記憶媒体はプロセッサに統合されてもよい。さらに、態様によっては、プロセッサおよび記憶媒体はＡＳＩＣ内に存在してもよい。またＡＳＩＣはユーザ端末内に存在してもよい。代替案では、プロセッサおよび記憶媒体はユーザ端末における個別部品として存在してもよい。さらに、いくつかの態様において、方法またはアルゴリズムのステップおよび／またはアクションは、１つまたは任意の組合せとして、またはコンピュータ・プログラムプロダクトに組み込まれ得る機械可読媒体および／またはコンピュータ可読媒体上のコードおよび／または命令のセットとして存在してもよい。
【００８７】
１つまたは複数の態様において、説明された機能は、ハードウェア、ソフトウェア、ファームウェアあるいはそれらの任意の組合せで実装してもよい。ソフトウェアの形で実施される場合、機能は、１つまたは複数の命令またはコードとしてコンピュータ可読媒体上に記憶され送信されることが可能である。コンピュータ可読媒体は、コンピュータ記憶媒体およびある場所から別の場所へのコンピュータプログラムの転送を容易にするあらゆる媒体を含む通信媒体の両方を含む。記憶媒体は、コンピュータがアクセスできる任意の利用可能な媒体とすることができる。限定としてではなく、例として、上記コンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコードを命令またはデータ構造の形式で運ぶためまたは記憶するために使用されることが可能であり、かつコンピュータがアクセスできる任意の他の媒体を含んでもよい。また、任意の接続がコンピュータ可読媒体であってもよい。例えば、ソフトウェアが同軸ケーブル、光ファイバケーブル、より対線、デジタル加入者線（ＤＳＬ）、または赤外線、無線、およびマイクロ波などの無線技術を使用して、ウェブサイト、サーバ、またはその他の遠隔ソースから送信される場合、同軸ケーブル、光ファイバケーブル、より対線、ＤＳＬ、または赤外線、無線、およびマイクロ波などの無線技術は媒体の定義に含まれる。本明細書で使用される場合、ディスクおよびディスク（Ｄｉｓｋ  ａｎｄ  ｄｉｓｃ）は、コンパクトディスク（ＣＤ）、レーザディスク、光ディスク、デジタル多目的ディスク（ＤＶＤ）、フロッピーディスクおよびブルーレイディスクを含み、ｄｉｓｋは通常、磁気によってデータを複製し、一方、ｄｉｓｃは通常、レーザを用いて光学的にデータを複製する。上記の組合せもコンピュータ可読媒体の範囲内に含まれるべきである。
【図１】
2014014099.tif 000003
【図２】
2014014099.tif 000004
【図３】
2014014099.tif 000005
【図４】
2014014099.tif 000006
【図５】
2014014099.tif 000007
【図６】
2014014099.tif 000008
【図７】
2014014099.tif 000009
【図８】
2014014099.tif 000010
【図９】
2014014099.tif 000011
【図１０】
2014014099.tif 000012
【図１１】
2014014099.tif 000013
【図１２】
2014014099.tif 000014
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
無線通信ネットワークにおいてセル再選択のためのセル情報を判定する方法であって、
アクセスポイントからブロードキャストされたパイロット信号を受信することと、
該パイロット信号に含まれたパイロット識別子を判定することと、
前記パイロット識別子が含まれる識別子範囲に少なくとも部分的に基づいて該アクセスポイントの種別を判定することとを具備する方法。
【手続補正２】
【補正対象書類名】明細書
【補正対象項目名】００８７
【補正方法】変更
【補正の内容】
【００８７】
１つまたは複数の態様において、説明された機能は、ハードウェア、ソフトウェア、ファームウェアあるいはそれらの任意の組合せで実装してもよい。ソフトウェアの形で実施される場合、機能は、１つまたは複数の命令またはコードとしてコンピュータ可読媒体上に記憶され送信されることが可能である。コンピュータ可読媒体は、コンピュータ記憶媒体およびある場所から別の場所へのコンピュータプログラムの転送を容易にするあらゆる媒体を含む通信媒体の両方を含む。記憶媒体は、コンピュータがアクセスできる任意の利用可能な媒体とすることができる。限定としてではなく、例として、上記コンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコードを命令またはデータ構造の形式で運ぶためまたは記憶するために使用されることが可能であり、かつコンピュータがアクセスできる任意の他の媒体を含んでもよい。また、任意の接続がコンピュータ可読媒体であってもよい。例えば、ソフトウェアが同軸ケーブル、光ファイバケーブル、より対線、デジタル加入者線（ＤＳＬ）、または赤外線、無線、およびマイクロ波などの無線技術を使用して、ウェブサイト、サーバ、またはその他の遠隔ソースから送信される場合、同軸ケーブル、光ファイバケーブル、より対線、ＤＳＬ、または赤外線、無線、およびマイクロ波などの無線技術は媒体の定義に含まれる。本明細書で使用される場合、ディスクおよびディスク（Ｄｉｓｋ  ａｎｄ  ｄｉｓｃ）は、コンパクトディスク（ＣＤ）、レーザディスク、光ディスク、デジタル多目的ディスク（ＤＶＤ）、フロッピーディスクおよびブルーレイディスクを含み、ｄｉｓｋは通常、磁気によってデータを複製し、一方、ｄｉｓｃは通常、レーザを用いて光学的にデータを複製する。上記の組合せもコンピュータ可読媒体の範囲内に含まれるべきである。
なお、以下に、出願当初の特許請求の範囲に記載された発明を付記する。
［Ｃ１］無線通信ネットワークにおいてセル再選択のためのセル情報を判定する方法であって、
アクセスポイントからブロードキャストされたパイロット信号を受信することと、
該パイロット信号に含まれたパイロット識別子を判定することと、
前記パイロット識別子が含まれる識別子範囲に少なくとも部分的に基づいて該アクセスポイントの種別を判定することとを具備する方法。
［Ｃ２］前記パイロット識別子は、前記アクセスポイント種別がフェムトセルであると示す前記識別子範囲内に含まれるＣ１の方法。
［Ｃ３］前記アクセスポイント種別がフェムトセルであると示す前記識別子範囲内に含まれる前記パイロット識別子に少なくとも部分的に基づいて、前記アクセスポイントから制限付きアソシエーション識別子を読出すことをさらに具備するＣ２の方法。
［Ｃ４］前記制限付きアソシエーション識別子は前記フェムトセルは、シグナリング、データアクセス、登録、および／またはサービスの提供に関して制限されることを示すＣ３の方法。
［Ｃ５］前記制限付きアソシエーション識別子が特定範囲内であることを確認することに少なくとも部分的に基づいて、前記アクセスポイントとの通信確立を要求することをさらに具備するＣ３の方法。
［Ｃ６］前記アクセスポイント種別がフェムトセルであると示す前記識別子範囲内に含まれる前記パイロット識別子に少なくとも部分的に基づいて、前記アクセスポイントからセクタ識別子を読出すことをさらに具備するＣ２の方法。
［Ｃ７］前記パイロット識別子が含まれる識別子範囲は、小規模なカバレッジアクセスポイントまたは大規模なカバレッジアクセスポイントに関するＣ１の方法。
［Ｃ８］前記パイロット識別子が含まれる識別子範囲は、前記アクセスポイントの位置に関するＣ１の方法。
［Ｃ９］前記パイロット識別子が含まれる識別子範囲は、前記アクセスポイントの送信電力に関するＣ１の方法。
［Ｃ１０］前記パイロット識別子が含まれる識別子範囲は、前記アクセスポイントが通信のために利用する周波数帯域に関するＣ１の方法。
［Ｃ１１］前記パイロット識別子が含まれる識別子範囲は、前記アクセスポイントが通信のために利用する送信周期性に関するＣ１の方法。
［Ｃ１２］前記パイロット識別子が含まれる識別子範囲は、前記アクセスポイントが移動型であるか固定型であるかに関するＣ１の方法。
［Ｃ１３］前記判定された種別に少なくとも部分的に基づいて、前記アクセスポイントとの通信確立を要求することをさらに具備するＣ１の方法。
［Ｃ１４］アクセスポイントからブロードキャストされたパイロット信号を受信し、
前記アクセスポイントを一意に識別する前記パイロット信号からパイロット識別子を得て、
前記パイロット識別子を識別子の範囲に関連付けることに少なくとも部分的に基づいて、前記アクセスポイントの種別を検出するように構成された少なくとも１つのプロセッサと、
前記少なくとも１つのプロセッサに結合されたメモリと、を具備する無線通信装置。
［Ｃ１５］無線ネットワークにおいてアクセスポイントに関する情報を判定することを促進する無線通信装置であって、
アクセスポイントからブロードキャストされたパイロット信号を受信するための手段と、
該パイロット信号に含まれたパイロット識別子を判定するための手段と、
前記パイロット識別子が含まれる識別子範囲に少なくとも部分的に基づいて該アクセスポイントの種別を判定するための手段とを具備する方法。
［Ｃ１６］少なくとも１つのコンピュータに、アクセスポイントからブロードキャストされたパイロット信号を受信させるためのコードと、
前記少なくとも１つのコンピュータに、前記パイロット信号に含まれたパイロット識別子を判定させるためのコードと、
前記少なくとも１つのコンピュータに、前記パイロット識別子が含まれる識別子範囲に少なくとも部分的に基づいて該アクセスポイントの種別を判定させるためのコードと、を具備するコンピュータ可読媒体を具備するコンピュータプログラム製品。
［Ｃ１７］複数のアクセスポイントからブロードキャストされた複数のパイロット信号を受信するセル再選択器と、
前記複数のパイロット信号の少なくとも１つに含まれ、前記複数のアクセスポイントの少なくとも１つを識別するパイロット識別子を得るパイロット識別子受信器と、
前記パイロット識別子に少なくとも部分的に基づいて、前記複数のアクセスポイントの種別の少なくとも１つを検出するアクセスポイント種別判定器と、を具備する装置。
［Ｃ１８］アクセスポイント種別検出器は、前記複数のアクセスポイントの少なくとも１つの種別をフェムトセルであるとして判定し、前記パイロット識別子は、特定の範囲またはマクロセル内に存在し、前記パイロット識別子は異種の特定範囲に存在するＣ１７の装置。
［Ｃ１９］前記種別がフェムトセルに対応する場合に、前記パイロット信号から制限付きアソシエーション識別子を読出す制限付きアソシエーション判定器をさらに具備するＣ１８の装置。
［Ｃ２０］前記制限付きアソシエーション識別子は前記フェムトセルは、シグナリング、データアクセス、登録、および／またはサービスの提供に関して制限されることを示すＣ１９の装置。
［Ｃ２１］前記セル再選択器は、前記制限付きアソシエーション識別子が特定範囲内に存在することに少なくとも部分的に基づいて、前記複数のアクセスポイントの少なくとも１つとの通信確立を要求するＣ１９の装置。
［Ｃ２２］前記セル再選択器は、前記種別がフェムトセルに対応する場合に、前記パイロット信号からセクタ識別子を読出すＣ１８の装置。
［Ｃ２３］前記アクセスポイント種別検出器は、前記複数のアクセスポイントの少なくとも１つの種別をフェムトセルであるとして判定し、前記パイロット識別子は、特定の範囲または大規模カバレージアクセスポイント内に存在し、前記パイロット識別子は異種の特定範囲に存在するＣ１７の装置。
［Ｃ２４］前記アクセスポイント検出器は、前記パイロット識別子が含まれる範囲に少なくとも部分的に基づいて、前記複数のアクセスポイントの少なくとも１つの種別をフェムトセルであるとしてさらに判定するＣ１７の装置。
［Ｃ２５］前記アクセスポイント検出器は、前記パイロット識別子が含まれる範囲に少なくとも部分的に基づいて、前記複数のアクセスポイントの少なくとも１つの送信電力をさらに判定するＣ１７の装置。
［Ｃ２６］前記アクセスポイント検出器は、前記パイロット識別子が含まれる範囲に少なくとも部分的に基づいて、前記複数のアクセスポイントの少なくとも１つの送信周波数帯域をさらに判定するＣ１７の装置。
［Ｃ２７］前記アクセスポイント検出器は、前記パイロット識別子が含まれる範囲に少なくとも部分的に基づいて、前記複数のアクセスポイントの少なくとも１つの送信周期性をさらに判定するＣ１７の装置。
［Ｃ２８］前記アクセスポイント検出器は、前記パイロット識別子が含まれる範囲に少なくとも部分的に基づいて、前記アクセスポイントが移動型であるか固定型であるかを判定するＣ１７の装置。
［Ｃ２９］前記セル再選択器は、前記決定された種別に少なくとも部分的に基づいて、前記複数のアクセスポイントの少なくとも１つとの通信確立を要求するＣ１７の装置。
［Ｃ３０］無線通信ネットワークにおいてアクセスポイントのためのパイロット識別子を選択する方法であって、
無線通信ネットワークにおいて通信するアクセスポイントの種別を判定することと、
前記アクセスポイントの種別に関するパイロット識別子の範囲を判定することと、
前記アクセスポイントの識別のために、前記無線通信ネットワークへのパイロット信号による後の送信のために前記パイロット識別子の範囲からパイロット識別子を選択することと、を具備する方法。
［Ｃ３１］前記パイロット識別子の範囲は、前記アクセスポイントの地理的な位置に少なくとも部分的に基づいて判定されるＣ３０の方法。
［Ｃ３２］前記パイロット識別子の範囲は、前記アクセスポイントに関連付けられたサービスプロバイダに少なくとも部分的に基づいて判定されるＣ３０の方法。
［Ｃ３３］前記パイロット識別子の範囲は、前記アクセスポイントに関連付けられた所有者および／または所有者の種別に少なくとも部分的に基づいて判定されるＣ３０の方法。
［Ｃ３４］前記パイロット識別子の範囲は、前記アクセスポイントの送信周波数帯域に少なくとも部分的に基づいて判定されるＣ３０の方法。
［Ｃ３５］前記パイロット識別子の範囲は、前記アクセスポイントの送信周期性に少なくとも部分的に基づいて判定されるＣ３０の方法。
［Ｃ３６］前記パイロット識別子の範囲は、前記アクセスポイントは、コア無線ネットワークへの接続に安全な帰路を利用するか不安定な帰路を利用するかに少なくとも部分的に基づいて判定されるＣ３０の方法。
［Ｃ３７］前記パイロット識別子の範囲は、前記アクセスポイントが移動型であるか固定型であるかに少なくとも部分的に基づいて判定されるＣ３０の方法。
［Ｃ３８］前記アクセスポイントの前記判定された種別はフェムトセルであるＣ３０の方法。
［Ｃ３９］前記種別がフェムトセルであると判定することに基づいて、前記パイロット信号内に制限付きアソシエーション識別子を示すことをさらに具備するＣ３８の方法。
［Ｃ４０］無線通信ネットワークにおいて通信するアクセスポイントの種別を判定し、
前記アクセスポイントの種別に関するパイロット識別子の範囲を判定し、
前記アクセスポイントの識別のために、前記無線通信ネットワークへのパイロット信号による後の送信のために前記パイロット識別子の範囲からパイロット識別子を選択するように構成された少なくとも１つのプロセッサと、
前記少なくとも１つのプロセッサに結合されたメモリと、を具備する無線通信装置。
［Ｃ４１］無線通信装置においてアクセスポイント情報を指定することを促進する無線通信装置であって、
無線通信ネットワークにおいて通信するアクセスポイントの種別を判定するための手段と、
前記アクセスポイントの種別に関するパイロット識別子の範囲を判定するための手段と、
前記無線通信ネットワークへのパイロット信号による後の送信のために前記パイロット識別子の範囲からパイロット識別子を選択するための手段と、を具備する装置。
［Ｃ４２］少なくとも１つのコンピュータに、無線通信ネットワークにおいて通信するアクセスポイントの種別を判定させるためのコードと、
前記少なくとも１つのコンピュータに、前記アクセスポイントの種別に関するパイロット識別子の範囲を判定させるためのコードと、
前記少なくとも１つのコンピュータに、前記アクセスポイントの識別のために前記無線通信ネットワークへのパイロット信号による後の送信のために前記パイロット識別子の範囲からパイロット識別子を選択させるためのコードと、を具備するコンピュータ可読媒体を具備するコンピュータプログラム製品。
［Ｃ４３］無線通信ネットワークにおいて通信するアクセスポイントの種別を判定するアクセスポイント種別指定器と、
前記アクセスポイントの前記種別に関連するパイロット識別子の範囲を判定し、前記無線通信ネットワークへのパイロット信号による後の送信のために前記パイロット識別子範囲からパイロット識別子を選択するパイロット識別子選択器と、を具備する装置。
［Ｃ４４］前記パイロット識別子選択器は、前記パイロット識別子の範囲を、前記アクセスポイントの地理的な位置に少なくとも部分的に基づいて判定するＣ４３の装置。
［Ｃ４５］前記パイロット識別子選択器は、前記パイロット識別子の範囲を、前記アクセスポイントに関連付けられたサービスプロバイダに少なくとも部分的に基づいて判定するＣ４３の装置。
［Ｃ４６］前記パイロット識別子選択器は、前記パイロット識別子の範囲を、前記アクセスポイントに関連付けられた所有者および／または所有者の種別に少なくとも部分的に基づいて判定するＣ４３の装置。
［Ｃ４７］前記パイロット識別子選択器は、前記パイロット識別子の範囲を、前記アクセスポイントの送信周波数帯域に少なくとも部分的に基づいて判定するＣ４３の装置。
［Ｃ４８］前記パイロット識別子選択器は、前記パイロット識別子の範囲を、前記アクセスポイントの送信周期性に少なくとも部分的に基づいて判定するＣ４３の装置。
［Ｃ４９］前記アクセスポイント指定器は、前記アクセスポイントの前記判定された種別をフェムトセルであるとして判定するＣ４３の装置。
［Ｃ５０］前記種別がフェムトセルであるとの判定に基づいて、前記パイロット信号内に制限付きアソシエーション識別子を示す制限付きアソシエーション指定器をさらに具備するＣ４９の装置。
【外国語明細書】
2014014099000001.pdf